(57)【特許請求の範囲】
【請求項１】
ポンプと、設定変更可能な制御パラメータに基づいてポンプ制御を行う制御部と、表示部と、を備えるシステムの前記制御パラメータを変更する方法であって、
前記システムは、前記表示部に表示可能なユーザー情報群を有するユーザー情報作成手段を有し、
前記方法は、
前記制御パラメータにおける第１の制御パラメータを変更するための所定の変更要求がなされたときに、前記ユーザー情報作成手段は、前記第１の制御パラメータに対応するユーザー情報を前記ユーザー情報群の中から選択し、前記表示部が当該選択されたユーザー情報を表示する第１の表示ステップ、
を含み、
前記ユーザー情報は、前記所定の変更要求によって前記第１の制御パラメータを変更するか否かをユーザーが判断するために用いられる情報であり、前記制御部に外部から入力される信号に関連する情報、前記制御部から外部へ出力される信号に関連する情報、前記制御パラメータの変更に伴う費用、作業工程、作業工数のうち、少なくとも１つを含む、方法。
【請求項２】
前記第１の表示ステップにて前記ユーザー情報を表示した後に前記制御部の前記制御パラメータを変更する変更ステップを更に含む、請求項１に記載の方法。
【請求項３】
前記システムは、前記第１の表示ステップによって表示されたユーザー情報を基に、ユーザーが前記制御パラメータを変更するか否かを確定することができる確定入力手段を有し、
前記方法は、
前記確定入力手段による確定入力を受け付ける確定入力受付ステップを含み、
前記確定入力受付ステップにて前記制御パラメータの変更が確定されたとき、前記制御部は前記変更ステップを実行する、
請求項２に記載の方法。
【請求項４】
前記確定入力手段は前記表示部に設けられる、請求項３に記載の方法。
【請求項５】
前記変更ステップを実行後に、確定されたユーザー情報を、前記表示部に表示する第２の表示ステップを更に含む、
請求項２から４の何れか１項に記載の方法。
【請求項６】
前記ユーザー情報は、アクセス権の設定が可能であって、
前記第１の表示ステップで、前記ユーザー情報は、ダウンロードおよび印刷の両方が制限されたアクセス権が設定され、
前記第２の表示ステップで、前記ユーザー情報は、ダウンロードおよび／または印刷が許可されたアクセス権が設定される、
請求項５に記載の方法。
【請求項７】
前記表示部は、第１の画面と第２の画面とを有し、
前記ユーザー情報は、前記第１の画面で表示され、
前記第１の画面で表示されるユーザー情報に対応する制御パラメータが、前記第２の画面で表示される、
請求項１から６の何れか１項に記載の方法。
【請求項８】
前記第２の画面における前記制御パラメータの表示は、前記ユーザー情報と異なるアクセス権の認証を経て実行される、
請求項７に記載の方法。
【請求項９】
前記第１の表示ステップは、前記変更される制御パラメータに基づいたユーザー情報と共に、前記制御部の現在の制御パラメータに基づいたユーザー情報を前記表示部に表示する、請求項１から８の何れか１項に記載の方法。
【請求項１０】
前記ユーザー情報を作成する情報作成ステップを更に含み、
前記第１の表示ステップは、前記情報作成ステップにて作成されたユーザー情報を前記表示部に表示する、
請求項１から９の何れか１項に記載の方法。
【請求項１１】
前記制御部は、複数の端子を有する入出力部を備え、
前記制御部は、前記複数の端子の各端子に割り当てられた前記制御パラメータに、接続先の外部機器から入力される信号の内容または前記システムの状態に対応して出力すべき信号の内容を示す信号種別が設定され、
前記方法は、
当該変更要求によって変更される制御パラメータに前記信号種別が含まれるとき、前記ユーザー情報作成手段にて作成されるユーザー情報は、前記複数の端子のそれぞれの前記信号種別を示す結線図を含む、
請求項１から１０の何れか１項に記載の方法。
【請求項１２】
前記方法は、前記システムが前記複数の端子の前記信号種別を再割り当てするための前記制御パラメータを作成する再割り当て作成ステップを含み、
前記再割り当て作成ステップの後に作成されるユーザー情報は、前記複数の端子それぞれに前記再割り当てされた信号種別を示す結線図を含む、
請求項１１に記載の方法。
【請求項１３】
前記システムは、前記複数の端子のうち異常が生じた端子を特定する異常端子特定手段を有し、
前記再割り当て作成ステップでは、前記異常端子特定手段で特定された端子を除外して前記再割り当てを作成する、
請求項１２に記載の方法。
【請求項１４】
前記再割り当て作成ステップでは、前記異常端子特定手段で特定された端子に対して、出力なし、または端子の異常を示す信号種別を割り当てる、請求項１３に記載の方法。
【請求項１５】
前記再割り当て作成ステップでは、前記異常端子特定手段で特定された端子以外の端子について、少なくとも一部の端子に対して、再割り当て前と同一の信号種別を割り当てる、請求項１３または１４に記載の方法。
【請求項１６】
前記第１の表示ステップで、前記異常端子特定手段で特定された端子は、他の端子と異なる表示方法にて表示される、
請求項１３から１５の何れか１項に記載の方法。
【請求項１７】
前記制御部が、前記変更ステップで変更した前記制御パラメータを外部に送信する送信ステップと、
管理装置が、前記制御部によって送信された変更後の前記制御パラメータに関する情報を記憶する記憶ステップと、
を更に含む、請求項２から６の何れか１項、または請求項２を引用する請求項７から１６の何れか１項に記載の方法。
【請求項１８】
前記方法は、前記制御部のメンテナンスに関する情報を報知するメンテナンス報知ステップを含み、
前記メンテナンス報知ステップでは、前記変更ステップによる前記制御パラメータの変更がなされた場合には次回のメンテナンス時期が早くなるように前記情報を報知する、
請求項２から６の何れか１項、または請求項２を引用する請求項７から１７の何れか１項に記載の方法。
【請求項１９】
前記表示部は、前記制御パラメータに基づいたユーザー情報を記憶する記憶部を有する、請求項１から１８の何れか１項に記載の方法。
【請求項２０】
前記システムは、前記ポンプと前記制御部とを有するポンプ装置と、当該ポンプ装置を管理するための管理装置と、を備え、
前記管理装置は、前記制御パラメータに基づいたユーザー情報を記憶する記憶部を有する、
請求項１から１９の何れか１項に記載の方法。
【請求項２１】
前記制御部は、前記制御パラメータに基づいたユーザー情報を記憶する記憶部を有する、請求項１から１９の何れか１項に記載の方法。
【請求項２２】
前記システムは、
前記第１の表示ステップによって示されたユーザー情報を基に、ユーザーが前記制御パラメータを変更するか否かを確定することができる確定入力手段と、
前記ユーザーが前記制御パラメータの変更に伴う作業を依頼できるオプション入力手段と、を有し、
前記確定入力手段と前記オプション入力手段とは、前記第１の表示ステップにてどちらか一方を選択可能に構成される、
請求項１から２１の何れか１項に記載の方法。
【請求項２３】
前記作業には、少なくとも前記制御パラメータの変更が含まれ、
前記方法は、
前記作業として前記制御パラメータの変更が選択された場合には、前記確定入力手段を選択不可とする、
請求項２２に記載の方法。
【請求項２４】
前記方法は、
前記確定入力手段が選択されたら、確定入力を受け付ける確定入力受付ステップを実行し、
前記オプション入力手段が選択されたら、前記作業を管理装置に送信するステップを実行する、
請求項２２または２３に記載の方法。
【請求項２５】
前記方法は、
前記管理装置が、前記オプション入力手段が選択されることにより送信された前記作業と、作業員情報と、に基づいて作業員を選択し、当該選択した作業員に、前記変更要求によって変更される制御パラメータと、当該制御パラメータに基づくユーザー情報と、前記制御パラメータの変更履歴と、のうち少なくとも１つの情報を含む作業依頼を行う、
ことを含む、請求項２４に記載の方法。
【請求項２６】
前記表示部は、前記制御パラメータを異なる表示で開示する複数の表示モードを有し、
前記複数の表示モードは、
前記制御パラメータに基づいて前記ユーザー情報作成手段が選択するユーザー情報を開示する第１モードと、
前記制御パラメータの設定コードおよび設定値を開示する第２モードと、を含む、
請求項１から２５の何れか１項に記載の方法。
【請求項２７】
前記表示モードは、
ユーザーによる所定の制限解除操作がなされたときに、前記第１モードから前記第２モードへと移り、
ユーザーによる所定の操作がなされたとき、および／またはユーザーによる無操作状態が所定時間継続したときに、前記第２モードから前記第１モードへと移る、
請求項２６に記載の方法。
【請求項２８】
前記方法は、前記制御パラメータの変更履歴を表示部に表示するステップを含み、
前記第１モードでは、前記変更履歴に対応したユーザー情報を表示し、
前記第２モードでは、前記変更履歴の前記設定コードおよび前記設定値を表示する、
請求項２６または２７に記載の方法。
【請求項２９】
前記制御部は、複数の端子を有する入出力部を備え、前記制御部は、前記複数の端子の各端子に割り当てられた前記制御パラメータに、接続先の外部機器から入力される信号の内容または前記システムの状態に対応して出力すべき信号の内容を示す信号種別が設定され、
前記制御パラメータに前記信号種別が含まれるとき、前記ユーザー情報は、前記複数の端子の配置の順番と前記信号種別とが示された結線図を含む、
請求項２６から２８の何れか１項に記載の方法。
【請求項３０】
ポンプと、設定変更可能な制御パラメータに基づいてポンプ制御を行う制御部と、を備
えるポンプ装置を管理するための管理装置であって、
表示部に表示可能なユーザー情報群を有するユーザー情報作成手段と、
前記ポンプ装置における現在の制御パラメータと当該制御パラメータに基づくユーザー情報とが記憶される第１の記憶手段と、
前記制御パラメータにおける第１の制御パラメータを変更するための所定の変更要求がなされたときに、前記第１の制御パラメータと当該第１の制御パラメータに基づいて前記ユーザー情報作成手段により前記ユーザー情報群の中から選択されたユーザー情報とが記憶される第２の記憶手段と、
前記第２の記憶手段に記憶されたユーザー情報を表示部に送信可能な通信部と、
を備え、
前記ユーザー情報は、前記所定の変更要求によって前記第１の制御パラメータを変更するか否かをユーザーが判断するために用いられる情報であり、前記制御部に外部から入力される信号に関連する情報、前記制御部から外部へ出力される信号に関連する情報、前記制御パラメータの変更に伴う費用、作業工程、作業工数のうち、少なくとも１つを含む、
管理装置。
【請求項３１】
前記通信部は、前記表示部が前記管理装置の前記第２の記憶手段に記憶されたユーザー情報を表示した後に、前記制御部の前記制御パラメータを前記第２の記憶手段に記憶された前記制御パラメータに変更するよう指示を出力する、
請求項３０に記載の管理装置。
【請求項３２】
前記通信部は、前記表示部に表示されるユーザー情報を基にユーザーが前記制御パラメータを変更することを確定した確定入力を受け付けられるように構成され、前記確定入力が受け付けられたとき、前記制御部の前記制御パラメータを前記第２の記憶手段に記憶された前記制御パラメータに変更するよう指示を出力する、
請求項３１に記載の管理装置。
【請求項３３】
ポンプと、設定変更可能な制御パラメータに基づいてポンプ制御を行う制御部と、表示部と、記憶部と、を備えるシステムであって、
前記表示部に表示可能なユーザー情報群を有するユーザー情報作成手段を有し、
前記記憶部は、前記制御パラメータにおける第１の制御パラメータを変更するための所定の変更要求がなされたときに、前記第１の制御パラメータと、当該第１の制御パラメータに基づいて前記ユーザー情報作成手段により前記ユーザー情報群の中から選択されたユーザー情報と、を記憶し、
前記表示部は、前記選択されたユーザー情報を表示し、
前記ユーザー情報は、前記所定の変更要求によって前記第１の制御パラメータを変更するか否かをユーザーが判断するために用いられる情報であり、前記制御部に外部から入力される信号に関連する情報、前記制御部から外部へ出力される信号に関連する情報、前記制御パラメータの変更に伴う費用、作業工程、作業工数のうち、少なくとも１つを含む、
システム。
【発明の詳細な説明】
【技術分野】
【０００１】
本発明は、ポンプを備えるシステムの制御パラメータを変更する方法、制御パラメータを管理する管理方法、表示方法、管理装置、およびシステムに関する。
【背景技術】
【０００２】
ポンプの制御機器は、設定圧、異常検知、入出力等に関する各種制御パラメータを設定変更することで、様々な使用方法や設置環境に対応可能となっている。当該制御機器を備えるポンプ装置の一例として、給水装置は、建物等の給水対象に水を供給するために広く使用されている。例えば、給水装置は、外部出力端子を有し、当該外部出力端子から所定の情報を出力することで、給水装置の状態を外部に知らせることができるものが知られている（例えば特許文献１参照）。特許文献１に記載の装置では、外部出力端子から出力される信号の内容を設定する制御パラメータにて、現場ごとに所望の内容を示す信号を外部出力端子から外部へ出力できる。
【０００３】
また、給水装置は、給水装置における各種センサの入力端子が設定できるものが知られている。一例として、給水装置の市水流入方式や給水装置に接続された受水槽の数などのパラメータにて、検出する水位に対する入力端子が決定されるものが知られている（例えば特許文献２参照）。
【先行技術文献】
【特許文献】
【０００４】
【特許文献１】特許第４５９３５８５号明細書
【特許文献２】特許第４０８０９１３号明細書
【発明の概要】
【発明が解決しようとする課題】
【０００５】
こうした給水装置では、制御パラメータの設定変更がユーザーに影響を与えることがある。例えば、監視装置等のユーザーが管理する機器に接続される入出力信号に関する制御パラメータが変更されると、ユーザーは、当該変更した入出力信号に関して給水装置と機器との間の配線を変更する必要がある。また、運転や故障に関する検出時間やリトライ回数などの制御パラメータが変更されると、それに伴い、運転や故障を示す信号がユーザーに出力されるタイミングが変更となる。設定変更は設定項目や内容が記載された給水装置のマニュアル等を参照して行われ、例えば、外部機器への配線は現場毎の結線図等を参照して作業が行われる。そのため、制御パラメータの変更に伴うユーザーの作業は煩雑である。
【０００６】
本発明は、上述した事情に鑑みてなされたもので、制御パラメータの設定変更を容易に行うことができる方法等を提案することを目的の１つとする。
【課題を解決するための手段】
【０００７】
本発明の一実施形態によれば、ポンプと、設定変更可能な制御パラメータに基づいてポンプ制御を行う制御部と、表示部と、を備えるシステムの前記制御パラメータを変更する方法が提案され、前記システムは、前記表示部に表示可能なユーザー情報群を有するユーザー情報作成手段を有し、前記方法は、所定の変更要求がなされたときに、前記ユーザー情報作成手段は、当該変更要求によって変更される制御パラメータに対応するユーザー情報を前記ユーザー情報群の中から選択し、前記表示部が当該選択されたユーザー情報を表
示する第１の表示ステップ、を含む。
【０００８】
本発明の別の一実施形態によれば、ポンプと、設定変更可能な制御パラメータに基づいてポンプ制御を行う制御部と、表示部と、管理装置と、を備えるシステムの前記制御パラメータを変更する方法が提案され、前記システムは、前記表示部に表示可能なユーザー情報群を有するユーザー情報作成手段を有し、前記方法は、所定の変更要求がなされたときに、前記ユーザー情報作成手段は、当該変更要求によって変更される制御パラメータに対応するユーザー情報を前記ユーザー情報作成手段から選択し、前記表示部が当該選択されたユーザー情報を表示する第１の表示ステップを含み、前記システムは、前記第１の表示ステップによって示されたユーザー情報を基に、ユーザーが前記制御パラメータを変更するか否かを確定することができる確定入力手段と、前記ユーザーが前記制御パラメータの変更に伴う作業を依頼できるオプション入力手段と、を有し、前記確定入力手段と前記オプション入力手段とは、前記第１の表示ステップにてどちらか一方を選択可能に構成される。
【０００９】
本発明の別の一実施形態によれば、ポンプと、設定変更可能な制御パラメータに基づいてポンプ制御を行う制御部と、表示部と、を備えるシステムの表示方法が提案され、前記システムは、前記制御パラメータの設定コードおよび設定値に関連付けられたユーザー情報群の中から所定のユーザー情報を選択するユーザー情報作成手段を有し、前記表示部は、前記制御パラメータを異なる表示で開示する複数の表示モードを有し、前記複数の表示モードは、前記制御パラメータに基づいて前記ユーザー情報作成手段が選択するユーザー情報を開示する第１モードと、前記制御パラメータの前記設定コードおよび前記設定値を開示する第２モードと、を含む。
【００１０】
本発明の別の一実施形態によれば、ポンプと、設定変更可能な制御パラメータに基づいてポンプ制御を行う制御部と、を備えるポンプ装置を管理するための管理装置が提案され、前記管理装置は、前記ポンプ装置における現在の制御パラメータと当該制御パラメータに基づくユーザー情報とが記憶される第１の記憶手段と、所定の変更要求がなされたときに、当該変更要求によって変更される制御パラメータと当該制御パラメータに基づくユーザー情報とが記憶される第２の記憶手段と、前記第２の記憶手段に記憶されたユーザー情報を表示部に送信可能な通信部と、を備える。
【００１１】
本発明の別の一実施形態によれば、ポンプと、設定変更可能な制御パラメータに基づいてポンプ制御を行う制御部と、表示部と、記憶部と、を備えるシステムが提案され、前記記憶部は、所定の変更要求がなされたときに、変更される制御パラメータと、当該制御パラメータに基づくユーザー情報と、を記憶し、前記表示部は、前記変更される制御パラメータに基づいたユーザー情報を表示する。
【図面の簡単な説明】
【００１２】
【図１】本実施形態におけるシステムの構成概略の一例を示す図である。
【図２】本実施形態における給水装置の受水槽方式による使用例を示す図である。
【図３】本実施形態における給水装置の直結給水方式による使用例を示す図である。
【図４】実施形態に係る給水装置と外部表示器との一例を模式的に示す平面図である。
【図５Ａ】実施形態の機能の一例を説明するためのブロック構成図である。
【図５Ｂ】実施形態の給水装置の制御パラメータを表示または／および設定変更するモードの状態還移を示す図である。
【図６】制御部における電子回路や各部品が実装された基板の要部概略図である。
【図７Ａ】制御用メモリに記憶される給水方式に関する情報の一例を示す図である。
【図７Ｂ】制御用メモリに記憶されるＩ／Ｏ部の各端子に関する情報の一例を示す図である。
【図７Ｃ】制御用メモリに記憶される図７Ｂの設定値に関する情報の一例を示す図である。
【図７Ｄ】制御用メモリに記憶されるＩ／Ｏ部の各端子の配置順に関する情報の一例を示す図である。
【図８Ａ】システムにおけるＩ／Ｏ部の入出力信号種別を再設定する際の主な機能を示す機能ブロック図である。
【図８Ｂ】システムにおける入出力部の入出力信号種別を再設定する際の動作の一例を示す図である。
【図９Ａ】制御パラメータの表示の一例を示す図である。
【図９Ｂ】ユーザー情報の一例を示している。
【図９Ｃ】外部表示器によって実行される表示処理の一例を示すフローチャートである。
【図１０Ａ】管理装置の再割り当て作成手段によって作成された再割り当ての制御パラメータの表示の一例を示す図である。
【図１０Ｂ】ユーザー情報の表示の一例を示している。
【図１１】外部表示器による変更後の入出力信号種別の表示の一例を示す図である。
【図１２】システムにおける機能をブロック図で示している。
【図１３Ａ】本実施形態のシステムにおける変形例を示す機能ブロック図である。
【図１３Ｂ】本実施形態のシステムにおける入出力部の入出力信号種別を再設定する際の動作の変形例を示す図である。
【図１４Ａ】本実施形態のシステムにおける変形例を示す機能ブロック図である。
【図１４Ｂ】本実施形態のシステムにおける入出力部の入出力信号種別を再設定する際の動作の変形例を示す図である。
【図１５Ａ】本実施形態のシステムにおける変形例を示す機能ブロック図である。
【図１５Ｂ】変形例のシステムにおける入出力部の入出力信号種別を再設定する際の動作の一例を示す図である。
【図１６】外部表示器による図８ＢのステップＳＢ３０（第１の表示ステップ）での表示の変形例を示す図である。
【図１７】外部表示器における、変更確定ボタン、変更キャンセルボタンまたは変更オプションボタンの選択フローを示す図である。
【発明を実施するための形態】
【００１３】
以下、本発明の実施形態について図面を参照して説明する。なお、図面では、同一または相当する構成要素には、同一の符号を付して重複した説明を省略する。
【００１４】
［給水システムの全体構成］
図１は、本実施形態におけるシステムの構成概略の一例を示す図である。本実施形態のシステム１０００は、ポンプ装置の一例である給水装置１０の各種状態の監視、管理、および設定変更等を行うことができるように構成されている。システム１０００は、給水装置１０と、給水装置１０を監視するための監視装置２１０と、給水装置１０と通信可能な外部表示器８０と、給水装置１０における各種状態を管理するための管理装置３１０と、を備える。給水装置１０は、ポンプにて水供給源１７６（例えば、水道本管や受水槽）の水を加圧して、主にマンション、オフィスビル、商業施設、又は学校等の建物１７０（給水対象）に水を供給する。また、給水装置１０は、少なくともひとつの設定変更可能な制御パラメータを有し、当該制御パラメータに基づいて各種制御を行う。
【００１５】
監視装置２１０（外部機器）と給水装置１０とは、信号線１８４にて接続され、監視装置２１０は、給水装置１０が制御パラメータに基づいて出力する接点信号を用いて給水装置１０の状態をユーザーが監視できるように構成されている。ここで、本明細書における
ユーザーには、例えば、建物１７０の管理人や所有者、給水装置１０が給水する水を使用する住居人等が含まれる。監視装置２１０は、給水装置１０の外部入出力信号の「接続先」の一例に当たる。本実施形態では、給水装置１０はポンプ室１００に設置され、監視装置２１０はポンプ室１００とは別の監視室２００に設置される。監視室２００は、ポンプ室１００と同一の建物内の別のフロアであってもよいし、ポンプ室１００と別の建物に設けられてもよい。ただし、こうした例に限定されず、監視装置２１０は、ポンプ室１００に設置されてもよい。また、監視装置２１０は、複数の給水装置１０を監視してもよい。
【００１６】
外部表示器（外部端末）８０は、スマートフォン、携帯電話、パソコン、又は、タブレットなどの汎用端末機器もしくは、専用端末機器である。汎用端末機器を採用した場合には、これらの機器に、外部表示器８０として作用するための専用のアプリケーションソフトウエアをインストールさせてもよい。この場合には、専用のアプリケーションソフトウエアをユーザーやメンテナンス作業者のレベル又は目的に沿って複数用意してもよい。給水装置１０は、外部表示器（外部端末）８０と有線または無線により通信可能であって、外部表示器８０は、給水装置１０の各種状態の表示や各種設定値の設定変更、各種操作等を行うことができる。また、外部表示器８０は、ネットワーク３００を介して管理装置３１０に接続される。
【００１７】
管理装置３１０は、一例として、所定の地域に設置された複数の給水装置１０を遠隔で管理するサーバー端末である。管理装置３１０は、遠隔で給水装置１０の制御パラメータを管理するために使用される。例えば、管理装置３１０は、遠隔監視サービスとして機器の保守、点検、異常時の緊急対応等を提供する業者が管理運営するサーバー端末である。本実施形態では、管理装置３１０は、インターネットのようなネットワーク３００を通じて複数の給水装置１０の外部表示器８０または外部と通信可能な通信機器（不図示）に接続される。管理装置３１０には、複数の給水装置１０を管理するための情報、たとえば、複数の給水装置１０のうちの任意の給水装置１０を識別するためのＩＤと、当該ＩＤに関連付けられた給水装置１０毎の制御パラメータ、装置情報、異常情報、メンテナンス情報、運転関連情報、および、故障履歴などが記憶される。また、管理装置３１０は、給水装置１０の制御パラメータを含む各種パラメータを遠隔から変更できる。更に、管理装置３１０は、給水装置１０毎の設置場所、連絡先、所有者、管理者、制御パラメータの変更履歴、運転履歴、故障履歴、および作業履歴などの各種情報を管理すると共に、地域毎に派遣可能な作業員情報（作業員の派遣範囲、作業員の習得レベル、作業可能な製品群等）を保有するとよい。
【００１８】
［給水装置の給水方式］
ここで、本実施形態における給水装置１０の給水方式について図２、図３を用いて説明する。図２、図３のいずれの例においても、建物１７０内の監視室２００に監視装置２１０が設けられている。なお、本実施形態では、以下に示す給水方式は、給水装置１０の制御パラメータによって変更できる。
【００１９】
図２は給水装置１０の給水方式が受水槽方式である例を示す図である。図２に示す例では、給水装置１０は、吸込側（一次側）に、１つの受水槽１６０が接続される受水槽１槽式で使用されている。ただし、給水装置１０は、一次側に２つ以上の受水槽が接続されてもよい。水供給源である受水槽１６０と給水装置１０の吸込口１０Ａとは、導入管１７１によって連通している。受水槽方式では、給水装置１０は、水供給源である図示しない水道本管から受水槽１６０にためられた水をポンプにて加圧し、建物１７０の各給水栓１７２に水を供給する。
【００２０】
受水槽１６０には、受水槽１６０内の水位レベルを検出する水位計、具体的には電極式レベルスイッチ１６２が設けられている。本実施形態では、受水槽１６０内の水位が、ポ
ンプを強制的に停止させる渇水水位よりも高い減水水位レベル以下で「減水状態」となり、更に水位が低くなりポンプを強制的に停止させる所定の水位レベル（渇水水位レベル）以下となったら「渇水状態」となる。更に、受水槽１６０から水が溢れる虞がある所定の水位レベル（満水水位レベル）以上となったら「満水状態」となる。なお、制御部６５は減水を検出するか否かの設定値を有し、制御部６５が減水を検出しない場合は、水槽の水位が渇水水位レベル以上満水の水位レベル未満であれば、水位情報は「正常状態」である。一方、制御部６５が減水を検出する場合は、水槽の水位が減水水位レベル以上満水水位レベル未満であれば、水位情報は「正常状態」である。
【００２１】
電極式レベルスイッチ１６２による検出信号は、詳細を後述する給水装置１０の制御部６５（Ｉ／Ｏ部７０）に入力される。電極式レベルスイッチ１６２は、一例として、受水槽１６０内に配置される複数の電極棒１６２ａ〜１６２ｅを備えている。複数の電極棒１６２ａ〜１６２ｅは、それぞれが水位検知器であって、コモン電極棒１６２ａ、及び、低い水位を検出できる順に、渇水水位レベルの検出のための電極棒１６２ｂ、市水流入弁１６３を開放する開水位の水位レベルの検出のための電極棒１６２ｃ、市水流入弁１６３を閉止する閉水位の水位レベルの検出のための電極棒１６２ｄ、満水水位レベルの検出のための電極棒１６２ｅとなっている。なお、電極式レベルスイッチ１６２は、５本の電極棒１６２ａ〜１６２ｅを有するものに限られず、３本、４本、または６本以上の電極棒を有してもよい。その場合でも、最も低い水位レベルを検出できる電極棒にて渇水水位レベルを検出し、最も高い水位レベルを検出できる電極棒にて満水水位レベルを検出するとよい。また、市水流入弁１６３を開放するための水位レベルは、市水流入弁１６３を閉止するための水位レベルよりも低い水位レベルとするとよい。
【００２２】
ここで、電極式レベルスイッチ１６２においては、各電極棒１６２ｂ〜１６２ｅと最も長いコモン電極棒１６２ａとの間の抵抗値の変化を検出することにより、水槽内の水位が各電極棒１６２ｂ〜１６２ｅの下端よりも高い位置にあることを検出するようになっている。すなわち、受水槽１６０の水位が各電極棒１６２ｂ〜１６２ｅの下端よりも高くなって電極棒１６２ｂ〜１６２ｅとコモン電極棒１６２ａの間が水により導通されたときに各水位レベルの検出信号を出力する。
【００２３】
受水槽１６０には、電極式レベルスイッチ１６２に代えて、もしくは加えて、受水槽１６０内の水位レベルを検出する水位計であるフロートスイッチが設けられていてもよい。フロートスイッチによる検出信号は、給水装置１０の制御部６５に入力される。なお、フロートスイッチは、渇水の水位レベル、市水流入弁１６３の開水位レベルおよび閉水位レベル、又は満水の水位レベルを検出するため、複数設けられてもよい。なお、本実施形態では、電極式レベルスイッチ１６２のどの電極でどの水位を検出するか、また、止水流入弁１６３のありなし等は、給水装置１０の制御パラメータによって変更できる。
【００２４】
図３は給水装置１０の給水方式が直結給水方式である例を示す図である。図３に示す例では、給水装置１０は、水道本管１７３の本管圧を利用しポンプにて増圧することにより給水対象である給水栓１７２へ水を供給する直結給水直送式で使用されている。水道本管１７３と連通する流入管１７４には、圧力センサ１７５が設けられている。圧力センサ１７５は、ポンプの流入圧である水道本管１７３の圧力を測定するための圧力測定器である。以下、「流入圧」は、圧力センサ１７５によって検出される圧力値を示すものとする。圧力センサ１７５による検出信号は、給水装置の制御部６５（Ｉ／Ｏ部７０）に入力される。本実施形態では、流入圧（水道本管１７３の圧力）が一定以下（例えば制御パラメータで流入圧低下の検出値として、設定コードＡ１０に値７ｍＡｑが設定される）となり所定の時間経過（例えば、制御パラメータで流入圧低下の検出時間として設定コードＡ１１に値１０秒間が設定される）したら、「流入圧低下状態」となる。その後、流入圧が一定以上（例えば制御パラメータで流入圧低下復帰の検出値として設定コードＡ１２に値１０
ｍＡｑ以上が設定される）となり所定の時間経過（例えば、制御パラメータで流入圧低下復帰の検出時間として設定コードＡ１３に値１５秒間が設定される）したら、流入圧低下状態が解消される。これら流入圧低下の異常を検出復帰に関するしきい値は、制御パラメータにて変更できる。
【００２５】
なお、給水装置１０の給水方式としては、ポンプにて増圧した水を建物１７０の屋上のタンク（高置水槽）に一旦貯留し、自然流下にて給水を行う高置水槽方式が採られてもよい。高置水槽方式では、受水槽方式にて説明したのと同様に、高置水槽内の水位を検出する水位計として、「満水」「渇水」の水位を検知する電極棒が設けられて高置水槽の「満水状態」、「渇水状態」などが検出されるとよい。
【００２６】
［給水装置の構成］
続いて、本実施形態の給水装置１０の具体的な構成を説明する。図４は本実施形態に係る給水装置と外部表示器との一例を模式的に示す平面図である。図示するように給水装置１０では、ベース２０の上に、２台のポンプ３０Ａ，３０Ｂと、これらポンプ３０Ａ，３０Ｂの中間に配置される圧力タンク５０とが載置されている。また、給水装置１０は、ポンプ３０Ａ，３０Ｂの吐出側に接続される吐出配管４０と、圧力タンク５０の上部に設置される制御盤６０とを具備して構成されている。以下各構成部品について説明する。
【００２７】
ベース２０は、ポンプ３０Ａ，３０Ｂ等の各機器をその上に取り付けて基礎に固定するための台であって、略矩形の平板状で、長手方向の両側辺は下方向に折り曲げられた後に外方向に折り曲げられることで、Ｌ字状の固定辺２３，２３を構成している。
【００２８】
給水装置１０は、ポンプ３０Ａ，３０Ｂを駆動するモータ３３Ａ，３３Ｂを備えている。ポンプ３０Ａ，３０Ｂは、吸込口３５Ａ，３５Ｂが設けられ、またポンプ３０Ａ，３０Ｂの上面には吐出し口設けられている。なお、吸込口３５Ａ，３５Ｂは、給水装置１０の吸込口１０Ａに当たり、直結給水方式の場合には、吸込口３５Ａ，３５Ｂが流入管１７４に逆流防止装置(不図示)を介して接続される。また、ポンプ３０Ａ，３０Ｂは、ポンプ過熱を検知するための温度検知器である温度センサ３６Ａ，３６Ｂが取り付けられている。
【００２９】
吐出配管４０はポンプ３０Ａ，３０Ｂの吐出し合流管であり、小水量を検知する流量検知器の一種であるフロースイッチ４９Ａ，４９Ｂ、及びチェッキ弁（逆止弁）４７Ａ，４７Ｂを介して、両ポンプ３０Ａ，３０Ｂの吐出し口３７Ａ，３７Ｂに、接続されている。ポンプ３０Ａ，３０Ｂは、並列運転を行う。またチェッキ弁４７Ａ，４７Ｂによって、ポンプ３０Ａ，３０Ｂが停止したときに吐出配管４０内の水がポンプ３０Ａ，３０Ｂ側に逆流しない。また吐出配管４０は圧力タンク５０に連結し、さらに吐出配管４０には配管内圧力を検出する圧力センサ４８が取り付けられている。そして圧力タンク５０とチェッキ弁４７Ａ，４７Ｂの効果によって、ポンプ３０Ａ，３０Ｂが停止した後の吐出配管４０内の圧力は、水が使用されない限り一定圧力に保持される。以下、「吐出し圧力」は、圧力センサ４８により検出される圧力値を示すものとする。
【００３０】
なお、本実施例ではポンプ３０Ａ，３０Ｂとポンプ２台の構成だが、ポンプ台数は１台もしくは３台以上の複数台の構成としてもよい。
【００３１】
制御盤６０は、ケース６１を備え、そのケース６１内に、不図示の電源端子、ポンプ毎の漏電遮断器、ノイズフィルタ、誘導雷サージ吸収素子、およびリアクトル等を収容し、更には、ポンプの運転制御を行う各種電気回路からなる制御部６５を収容して構成されている。
【００３２】
［制御部のブロック構成］
図５Ａは、本実施形態の構成の一例を説明するためのブロック構成図である。なお、図５Ａでは、給水装置１０の制御部６５と共に、監視装置２１０、管理装置３１０、及び外部表示器８０、２８０が機能ブロックで示されている。給水装置１０の制御部６５は、制御用メモリ（記憶部）６６と、演算部６９と、Ｉ／Ｏ部（入力部および出力部）７０と、運転パネル７９と、通信部７３と、を備えている。運転パネル７９は、設定部７１及び表示部７２を備え、ユーザーインターフェースとして機能する。なお、制御部６５は、ＣＰＵ、メモリ等を備え、ソフトウェアを用いて所定の機能を実現するマイクロコンピュータとして構成されてもよいし、専用の演算処理を行うハードウェア回路として構成されてもよい。また、制御部６５は、１つの基板で構成されるものに限定されず、たとえば通信部７３、運転パネル７９が別々の基板であってもよい。その場合は、制御部６５と通信部７３、運転パネル７９はシリアル通信や信号線等の有線もしくは無線通信にて接続される。
【００３３】
設定部７１は、外部操作により、各種パラメータ（設定情報）を設定するのに使用される（設定入力）。具体的には、設定部７１は不図示の操作ボタンやタッチパネル等を備え、設定部７１において設定された各種パラメータは、制御用メモリ６６に記憶される。一例として、ユーザーや作業者は、設定部７１を介して、停止圧力、始動圧力、外部出力が出力する信号の内容、及び、その他制御に必要な情報を設定情報として入力（設定入力）し、設置現場にて変更できるようになっている。
【００３４】
表示部７２は、制御用メモリ６６に格納されている制御パラメータ等の各種データや、現在のポンプ３０Ａ，３０Ｂの運転状況（運転情報）、例えばポンプ３０Ａ，３０Ｂのそれぞれの運転または停止、運転周波数、電流、流入圧力、吐出し圧力、モータ部３３Ａ，３３Ｂを駆動するインバータのトリップ、吸入圧力低下警報、及び、受水槽警報等を表示する。
【００３５】
本実施形態では、表示部７２として、７セグメントＬＥＤ及び表示灯などの簡易な表示器を採用することができる。ただし、表示部７２は、こうした例に限定されず、ドットマトリクス方式による液晶表示器などであってもよい。また、外部表示器８０として、タッチ入力方式または押圧ボタン方式を用いた液晶画面での高機能表示器を採用することができる。この場合、表示部７２には簡易な情報を表示でき、外部表示器８０には大きな情報量の情報を表示できる。こうした構成により、外部表示器８０に、制御部６５によるポンプ３０Ａ，３０Ｂの運転状況に関した情報など（例えば、目標圧ＳＶ、現在圧ＰＶ、ポンプ３０Ａ，３０Ｂの運転・停止、及び、ポンプ３０Ａ，３０Ｂの回転速度など）を同一画面上に表示することによって、給水装置に不慣れなユーザーも誤解することなく、給水装置１０の状態を認識したり、設定変更を行うことができる。また、給水装置１０は、機械室またはポンプ室などの電気的なノイズの多い環境に設置されることがある。こうした場合に備えて、表示部７２として、液晶表示やタッチパネルよりも電気的ノイズに強い７セグメントＬＥＤや表示灯、機械的な押圧ボタンなどにて構成された表示器が使用されてもよい。これにより、外部環境から発生される電気的なノイズによって外部表示器８０の液晶表示やタッチパネル操作に異常が発生した場合でも、表示部７２により給水装置１０の運転に必要な最低限度の表示および操作を行うことができる。したがって、給水装置１０を電気的ノイズの多い環境下にも設置することができる。
【００３６】
なお、制御部６５に運転パネル７９または表示部７２が設けられずに、外部表示器８０のみが設けられてもよい。この場合、上述した運転パネル７９の機能は外部表示器８０にて全て実施可能とする。給水装置１０には表示器自体を設ける必要がなくなるので、給水装置１０全体のコストを更に下げることが可能である。
【００３７】
制御用メモリ６６には、給水装置１０を制御するための制御プログラム、給水装置１０の装置情報、故障履歴、運転履歴、及び、設定部７１もしくは外部表示器８０等を通じて
入力された制御パラメータ等が格納されている。故障発生時には故障履歴、定期的に給水装置１０の運転履歴等の情報が制御用メモリ６６に記憶される。また、制御用メモリ６６は、現在の制御パラメータおよび／または当該パラメータに基づくユーザー情報とが記憶される第１記憶領域６６ａ（第１の記憶手段）を備える。更に、制御用メモリ６６は、所定の変更要求がなされたときに、当該変更要求によって変更となる、制御パラメータおよび／またはユーザー情報と、を記憶する第２記憶領域６６ｂ（第２の記憶手段）を備える。ここで、「変更要求によって変更となる制御パラメータ」は、制御パラメータの変更要求がなされている対象（例えば制御コード）、および、当該変更要求による対象の変更値（例えば再割り当て値）を意味する。変更要求によって変更となる制御パラメータは、変更要求による変更が確定されるまでは現在の制御パラメータと少なくとも一部が異なる情報を示す。
【００３８】
制御用メモリ６６としては、ＲＯＭ、ＨＤＤ、ＥＥＰＲＯＭ、ＦｅＲＡＭ、及び、フラッシュメモリ等の不揮発性メモリ、ＲＡＭ等の揮発性メモリが使用される。制御用メモリ６６には、各種データ、例えば演算部６９における演算結果のデータ（運転時間、積算値等）、圧力値（流入圧力、吐出し圧力）、設定部７１を通じて入力された設定値情報、及びＩ／Ｏ部７０を通じて入力される、またはＩ／Ｏ部７０を通じて出力されるデータ等が格納される。
【００３９】
通信部７３は、有線通信または無線通信によって外部表示器８０と通信可能なように構成されている。無線通信としては、例えば近距離無線通信（ＮＦＣ：Near  Field  Communication）の技術を利用することができる。また、Ｂｌｕｅｔｏｏｔｈ（登録商標）およびＷｉ−Ｆｉなど、任意の方式の無線通信を利用することができる。ただし、ＮＦＣは、制御部６５と外部表示器８０とを近づけるだけで通信を完了させることができる点で有利である。また、有線通信としては、例えば制御部６５にＵＳＢ（Universal  Serial  Bus）のような外部接続端子が設けられ、ここに外部表示器８０が接続されることによって通信がなされてもよいし、ＲＳ４２２，ＲＳ２３２Ｃ，ＲＳ４８５等のシリアル通信を用いてもよい。
【００４０】
Ｉ／Ｏ部（入出力部）７０としては、ポート等が使用される。Ｉ／Ｏ部７０は、圧力センサ４８からの信号、及びフロースイッチ４９Ａ，４９Ｂからの信号等を受け入れ、Ｉ／Ｏ部７０は、入力された信号を演算部６９へ送る。演算部６９としては、ＣＰＵが使用される。演算部６９は、制御用メモリ６６に格納されているプログラム及び各種データ、並びにＩ／Ｏ部７０から入力される信号に基づいて、ポンプ３０Ａ，３０Ｂを運転するための各種データの設定、及び、演算等を行い、Ｉ／Ｏ部７０から制御指令が出力される。
【００４１】
また、上記したように、Ｉ／Ｏ部７０は、給水装置１０が受水槽方式で使用されるときには電極式レベルスイッチ１６２からの信号が入力され、給水装置１０が直結給水方式で使用されるときには圧力センサ１７５からの信号が入力される。Ｉ／Ｏ部７０は、少なくとも１つの端子を含む入力端子７０ｂを有し、その他の信号、例えば圧力センサ４８、フロースイッチ４９Ａ、４９Ｂ、温度センサ３６Ａ、３６Ｂからの信号が入力される。
【００４２】
Ｉ／Ｏ部７０とポンプ３０Ａ，３０Ｂを駆動するインバータとは、ＲＳ４２２，ＲＳ２３２Ｃ，ＲＳ４８５等の通信手段により互いに接続される。Ｉ／Ｏ部７０からインバータは、各種設定値や周波数指令値、発停信号（運転・停止信号）などの制御信号がインバータへ送られ、インバータからＩ／Ｏ部７０へは、実際の周波数値や電流値等の運転状況（運転情報）が逐次送られる。
【００４３】
なお、Ｉ／Ｏ部７０とポンプ３０Ａ，３０Ｂを駆動するインバータとの間で送受信される制御信号としては、アナログ信号および／またはデジタル信号を用いることができる。
例えば、回転周波数等にはアナログ信号を用い、運転停止指令等にはデジタル信号を用いることができる。また、３０Ａ，３０Ｂの可変速制御を行わない場合、インバータがなくてもよい。
【００４４】
また、Ｉ／Ｏ部７０は、少なくとも１つの端子を含む外部出力端子７０ａを有し、外部出力端子７０ａは、例えば、端子台であって制御部６５を構成する基板に実装されている。外部出力端子７０ａに接続される配線は、監視装置２１０の入力部２１４の対応する入力端子２１４ａと接続される。例えば、外部出力端子７０ａからは、給水装置１０の運転関連情報を示す接点信号が出力される。本実施形態では、外部出力端子７０ａは、７つの外部表示用端子Ａ１，Ａ２，Ｂ１，Ｂ２，Ｂ３，Ｃ１，Ｃ２を含む。外部表示用端子Ａ１，Ａ２，Ｂ１，Ｂ２，Ｂ３，Ｃ１，Ｃ２のそれぞれから出力する信号の内容は、設置現場ごとの要求に応じて給水装置１０の出荷時に、該当する制御パラメータにて設定される。つまり、複数の端子Ａ１，Ａ２，Ｂ１，Ｂ２，Ｂ３，Ｃ１，Ｃ２の各端子のそれぞれに割り当てられた制御パラメータに、給水装置１０の各種状態に対応して出力すべき信号の内容を示す信号種別が設定され、当該設定された信号種別に基づいて外部表示用端子Ａ１，Ａ２，Ｂ１，Ｂ２，Ｂ３，Ｃ１，Ｃ２は信号を外部に出力する。
【００４５】
制御部６５に接続される監視装置２１０は、図５Ａに示すように、表示部２１３と、入力部２１４、出力部２１５、演算部２１６、通信部２１７とを備えている。入力部２１４は、少なくとも１つの入力端子（ポート）２１４ａを有し、給水装置１０の外部出力端子７０ａと信号線１８４にて有線接続されて外部出力端子７０ａからの信号が入力される。表示部２１３は、入力部２１４に入力された情報に基づいて、給水装置１０の状態を表示する。出力部２１５は、少なくとも１つの出力端子（ポート）を有し、入力部２１４に入力された信号を給水装置１０などの外部へ出力する。演算部２１６は、制御プログラム及び各種データ等に基づいて監視装置２１０の各種制御を実行する。通信部２１７は、外部表示器２８０と通信を行い、外部表示器２８０は、監視装置２１０の各種状態並びに、給水装置１０の各種状態を表示する。こうした監視装置２１０により、監視装置２１０が設置された監視室２００において給水装置１０の状態を監視することができる。なお、外部表示器２８０は、後述する外部表示器８０と同等もしくは同じ機能を有し、また、外部表示器２８０と外部表示器８０は、同じ端末を用いてもよい。
【００４６】
監視装置２１０は、一例として、給水装置１０の外部出力端子７０ａからの信号に基づいて単にランプを点灯／消灯させる簡易な構成とすることができる。この場合、ランプが表示部２１３の一例に当たる。また、監視装置２１０は、一例として、ＣＰＵ、メモリ等を備え、ソフトウェアを用いて所定の機能を実現するマイクロコンピュータとして構成されてもよいし、専用の演算処理を行うハードウェア回路として構成されてもよい。こうした場合、監視装置２１０は、外部出力端子７０ａからの入力信号に基づいて給水装置１０の状態の履歴をメモリに記憶してもよい。また、監視装置２１０は、単一の装置によって構成されるものに限定されず、一例として互いに離隔して設けられた複数の装置によって構成されてもよい。
【００４７】
外部表示器８０（外部端末）は、操作表示部８０Ａを有し、給水装置１０の通信部７３と通信して給水装置１０に関する各種データを表示・変更可能なように構成されている。具体的には、外部表示器８０は、制御用メモリ６６に記憶された各種データを給水装置１０の通信部７３から受信し操作表示部８０Ａに表示する。また、外部表示器８０は、ユーザーが操作表示部８０Ａを操作して入力した各種データの変更要求を給水装置１０の通信部７３へ送信する。操作表示部８０Ａは、タッチ入力方式または押圧ボタン方式を用いた液晶画面での高機能表示器を採用することができる。この場合、給水装置１０の表示部７２には簡易な情報を表示させ、外部表示器８０には大きな情報量の情報を表示させてもよい。こうした構成により、外部表示器８０は、制御用メモリ６６に記憶された各種データ
のうち複数の情報を、操作表示部８０Ａの同一画面上に表示することができる。よって、操作表示部８０Ａでのみ操作表示するよりも、給水装置１０に不慣れなユーザーも誤解することなく、給水装置１０の状態を認識したり、設定入力を行うことができる。
【００４８】
なお、上述した運転パネル７９の機能は、外部表示器８０にて全て実施可能としてもよい。こうすれば、給水装置１０が操作しにくい場所（例えば、運転パネル７９が操作者の足元あたり）に設置されていても給水装置１０の状態確認や設定値情報の変更等の操作が容易となる。また、上述した外部表示器８０の機能は、運転パネル７９にて全て実施可能としてもよい。
【００４９】
制御部６５に外部表示器８０を介して接続される管理装置３１０は、一例として図５Ａに示すように、ＣＰＵ等の演算部３６９と、通信部３７３と、メモリ等の記憶部３６６と、モニタ等の表示部３８０を備えている。なお、管理装置３１０は、サーバー端末であって、ＣＰＵ（Ｃｅｎｔｒａｌ Ｐｒｏｃｅｓｓｉｎｇ Ｕｎｉｔ）、メモリ等を備え、ソフトウェアを用いて所定の機能を実現するマイクロコンピュータにて構成されてもよいし、パソコンなどの汎用機器にて構成されてもよい。また、管理装置３１０は、単一の装置によって構成されるものに限定されず、一例として互いに離隔して設けられた複数の装置によって構成されてもよい。
【００５０】
演算部３６９は、記憶部３６６に格納されているプログラム及び各種データ等に基づいて、給水装置１０を管理するための各種データの設定、及び演算等を行う。例えば、演算部３６９は、給水装置１０の制御パラメータの設定変更が要求されたときに、当該制御パラメータの値を決定する再割り当て作成部１０４０と、制御パラメータに基づくユーザー情報を作成するユーザー情報作成部１０１０を有する。ここで、ユーザー情報には、外部機器から制御部６５へ入力される信号に関連する情報（例えば、電極式レベルスイッチ１６２の検出水位や配線等）、制御部６５から外部機器へ出力される信号に関連する情報（例えば、外部出力や配線等）、および、パラメータ変更に伴う費用、作業工程、作業工数等が含まれるとよい。
【００５１】
通信部３７３は、ネットワーク３００を通じて外部表示器８０と通信可能なように構成されている。なお、本実施形態では、管理装置３１０は、外部表示器８０を通じて給水装置１０を管理するものとしている。しかし、こうした例に限定されず、管理装置３１０（通信部３７３）は、有線通信または無線通信で給水装置１０の通信部７３と直接通信可能に構成されてもよい。
【００５２】
記憶部３６６には、データベースとしての各種情報が格納される。データベースとしての各種情報としては、一例として、給水装置の機種ごとのメンテナンス情報、ならびに管理している給水装置ごとのＩＤと当該ＩＤに関連付けられた装置情報、制御パラメータとして設定情報、運転関連情報、故障履歴、及びメンテナンス履歴などが挙げられる。また、記憶部３６６には、再割り当て作成部１０４０にて各種条件によって選択されるための複数の制御パラメータや、ユーザー情報作成部１０１０にて各種条件によって選択されるための複数のユーザー情報（例えば結線図）が予め記憶されていてもよい。記憶部３６６は、その記憶領域に、現在の制御パラメータおよび／または当該パラメータに基づくユーザー情報が記憶される第１記憶領域３６６ａ（第１の記憶手段）と、制御パラメータの変更が要求されたときに、変更される制御パラメータおよび／または当該パラメータに基づくユーザー情報を記憶する第２記憶領域３６６ｂ（第２の記憶手段）を備える。なお、これらの制御パラメータは、給水装置ごとのＩＤに関連付けられて記憶される。
【００５３】
管理装置３１０は、現在の制御パラメータとユーザー情報とを第１記憶領域３６６ａに記憶する。そして、給水装置１０の制御パラメータの設定変更が要求されたとき、演算部
３６９が再割り当て作成部１０４０にて変更する制御パラメータを決定し、当該決定された制御パラメータと、ユーザー情報作成部１０１０にて作成した、再割り当て作成部１０４０にて決定された制御パラメータに基づくユーザー情報とを第２記憶領域３６６ｂに記憶する。
【００５４】
図５Ｂは、給水装置１０の制御パラメータを表示または／および設定変更するモードの状態還移を示す。上述の運転パネル７９、外部表示器８０、表示部２１３、外部表示器２８０、表示部３８０等は、システム１０００の操作者が給水装置１０の状態や制御パラメータ等を表示または／および変更できる複数のモードを有し、当該モードは、全ての制御パラメータのうち少なくともひとつの制御パラメータの表示または／および変更を制限する第１モードと、第１モードよりも表示または／および変更が制限される制御パラメータが少ない第２モードを有する。つまり、第１モードで表示または／および変更できる制御パラメータは、第２モードで表示または／および変更できる制御パラメータよりも少ない。
【００５５】
給水装置１０の状態や制御パラメータ等を表示または／および変更するためのモードの初期モードは第１モードであって、操作者によるパスワードの入力や指紋認証等の個人特定手段等の予め決められた所定の制限解除操作にて第１モードから第２モードへと移り、作業者による無操作による時間経過や所定の初期化操作等にて第２モードから第１モードへ戻る。パスワードやパスワードの入力手順等の制限解除操作方法は特定の操作者のみに開示され、第１モードは制限解除操作方法が開示されていないユーザー等でも用いることができ、第２モードは制限解除操作方法が開示された作業員や管理者等だけが用いることのできるモードである。以降、第１モードの操作者を第１操作者と記し、第２モードへの制限解除操作が可能な操作者を第２操作者と記す。
【００５６】
図６は、制御部６５における電子回路や各部品が実装された基板の要部概略図である。制御部６５の基板上には、Ｉ／Ｏ部７０として、外部出力端子７０ａと、入力端子７０ｂとの各種端子が実装されている。本実施形態では、入力端子７０ｂは、電極式レベルスイッチ１６２の電極棒が検出する信号の何れかが入力される入力端子Ｅ１１〜Ｅ１５，Ｅ３１〜Ｅ３３、フロースイッチ４９Ａ，４９Ｂが検出する信号の何れかが入力される入力端子ＦＳ１，ＦＳ２、圧力センサ４８，１７５が検出する信号の何れかが入力される入力端子ＰＳ１，ＰＳ２を含む。これらの端子は、端子台やコネクタによって構成され、制御部６５の外部からの各種信号線が配線される。制御部６５は、複数の端子の各端子のそれぞれに割り当てられた制御パラメータに、接続先の外部機器から入力される信号の内容を示す信号種別が設定され、当該設定された信号種別に基づいて入力される信号の内容を識別する。
【００５７】
外部表示用端子Ａ１〜Ｂ３端子台であって、当該端子台が実装された基板上に外部出力端子７０ａを識別するための識別標識（ＡＲマーカー）Ｍ１が印刷されている。外部表示用端子Ｃ１，Ｃ２は端子台であって、当該端子台が実装された基板上に外部出力端子７０ａを識別するための識別標識Ｍ２が印刷されている。入力端子Ｅ１１〜Ｅ３３は端子台であって、当該端子台が実装された基板上に入力端子Ｅ１１〜Ｅ３３を識別するための識別標識Ｍ３が印刷されている。入力端子ＦＳ１，ＦＳ２はコネクタであって、当該コネクタが実装された基板上に入力端子ＦＳ１，ＦＳ２を識別するための識別標識Ｍ４が印刷されている。入力端子ＰＳ１，ＰＳ２はコネクタであって、当該コネクタが実装された基板上に入力端子ＰＳ１，ＰＳ２を識別するための識別標識Ｍ５が印刷されている。
【００５８】
識別標識Ｍ１〜Ｍ５は、各端子の両側に配置され、各端子を他の端子と区別する情報が記録されている。例えば、識別標識Ｍ１は、外部表示用端子Ａ１〜Ｂ３の端子の数や端子名、配置順等が含まれるＱＲコード（登録商標）であって、外部表示用端子Ａ１〜Ｂ３の
両側に配置される。外部表示器８０は、更に、識別標識Ｍ１〜Ｍ５および各端子を含む制御部６５を撮像する撮像装置を備え、撮像した各端子の画像と識別標識Ｍ１〜Ｍ５より取得した情報と給水装置１０から取得した情報に基づいたグラフィックや文字情報とを合成して操作表示部８０Ａに表示する。
【００５９】
図７Ａ〜図７Ｄに、給水装置１０の制御用メモリ６６に記憶される制御パラメータの一例を記す。本実施形態では、これらの設定変更可能な制御パラメータの少なくとも一部は、外部表示器８０、並びに外部表示器８０を通じて、管理装置３１０の記憶部３６６にも記憶されている。図７Ａは、給水方式に関する制御パラメータである。図７Ｂは、Ｉ／Ｏ部７０の各端子に関する制御パラメータである。図７Ｃは、図７Ｂの設定値に関する制御パラメータである。図７Ｄは、Ｉ／Ｏ部７０の各端子の配置順に関する制御パラメータである。以下、図７Ａ〜図７Ｄに示されているデータテーブルのそれぞれを、データテーブルＡ〜Ｄという。ここで、現在の制御パラメータを保存する第１記憶領域６６ａ（第１の記憶手段）はデータテーブルＡ〜Ｄを有し、当該データテーブルの値が、外部入出力等を含むポンプ制御に用いられる。また、変更後の制御パラメータを保存する第２記憶領域６６ｂ（第２の記憶手段）は、データテーブルＡ〜Ｄを有し当該データテーブルに変更される制御パラメータを保存してもよいし、変更される制御パラメータの項目を示す設定コードとその値のみを保存してもよい。
【００６０】
図７Ａに示すデータテーブルＡは、制御パラメータである設定コードＰ１０の設定値と給水方式に関する各情報との関係の一例を示す図である。本実施形態では、設定値情報として、直結給水方式であるか受水槽方式であるか、また受水槽方式において受水槽が一槽式または二槽式であるか、直結給水方式において直結給水直送式または直結給水高置水槽方式であるか、が設定される。具体的には、制御部６５は、設定コードＰ１０の値が値１である時に、図２に示す構成で使用されると判断し、設定コードＰ１０の値が値３である時に、図３に示す構成で使用されると判断する。また、本実施形態では、給水方式に関連して、ユーザーによって電極式レベルスイッチ１６２における電極棒の本数、及び市水流入弁１６３の制御方法等が制御パラメータの設定変更にて変更され、当該設定された制御方法に基づいて入力端子Ｅ１１〜Ｅ１５、Ｅ３１〜Ｅ３３に接続される電極棒１６２ａ〜１６２ｅが決定される。
【００６１】
図７Ｂに示すデータテーブルＢは、各端子の信号の種別を設定する制御パラメータの設定値の一例である。本実施形態では、制御パラメータの設定値情報として各端子の信号の内容を示す信号種別（入出力信号種別）を有する。入出力信号種別は、Ｉ／Ｏ部７０における端子毎に設定コードが割り付けられており、ユーザーは、当該設定コードの「値」を変更することで、どの端子からどの内容を示す信号を入出力するか、を設定できる。また、データテーブルＢには、図７Ｂに示すように、端子名、端子の種別、ＡＲマーカー等が設定変更可能な制御パラメータとして記憶されてもよい。
【００６２】
図７Ｃに示すデータテーブルＣは、図７Ｂの「値」と、信号の内容を示す信号種別（入出力信号種別）との関係を示す制御パラメータである。具体的には、図７Ｂにて、設定コードＰ１１に値１が設定されている。図７Ｃで値１は、信号種別１が「運転一括」のため、端子Ａ１からは運転一括信号が出力される。また、データテーブルＣには、図７Ｃに示すように、複数の信号の種別が変更可能な制御パラメータとして記憶されてもよい。
【００６３】
ここで、信号種別１設定された値に対応した、出力すべき信号の内容の一例について説明する。なお、以下の例では、図７Ｃに示されていない信号の種別も含まれている。
「運転一括」に対応する信号の内容は、ポンプ３０Ａ，３０Ｂの少なくとも一方が運転しているときにＯＮ信号が出力され、ポンプ３０Ａ，３０Ｂが共に停止しているときにＯＦＦ信号が出力される信号である。
「故障一括」に対応する信号の内容は、給水装置１０に何らかの故障が検出されているときにＯＮ信号が出力され、給水装置１０に故障が検出されていないときにＯＦＦ信号が出力される信号である。
「満水」、「減水」、「渇水」に対応する信号の内容は、それぞれ、給水方式が受水槽方式の場合に、受水槽１６０が満水状態、減水状態、渇水状態であるときにＯＮ信号が出力され、満水状態、減水状態、渇水状態でないときにＯＦＦ信号が出力される信号である。
「Ｎｏ．１ポンプの運転」、「Ｎｏ．１ポンプの故障」に対応する信号の内容は、それぞれ、ポンプ３０Ａについて、運転しているとき、故障が検出されているときにＯＮ信号が出力され、停止しているとき、故障が検出されていないときにＯＦＦ信号が出力される信号である。
「Ｎｏ．２ポンプの運転」、「Ｎｏ．２ポンプの故障」に対応する信号の内容は、それぞれ、ポンプ３０Ｂについて、運転しているとき、故障が検出されているときにＯＮ信号が出力され、停止しているとき、故障が検出されていないときにＯＦＦ信号が出力される信号である。
「流入圧低下」に対応する信号の内容は、給水方式が直結給水方式の場合に、圧力センサ１７５にて計測する流入圧が所定の閾値よりも低下した状態が所定時間継続した状態であるときにＯＮ信号が出力され、流入圧低下状態ではないとき、または、流入圧が所定の圧力以上に復帰した状態が所定時間継続したときにＯＦＦ信号が出力される信号である。
高置水槽の「満水」、「渇水」に対応する信号の内容は、それぞれ、給水方式が高置水槽方式の場合に、図示しない高置水槽が満水状態、渇水状態であるときにＯＮ信号が出力され、高置水槽が満水状態、渇水状態ではないときにＯＦＦ信号が出力される信号である。
また、信号種別１に設定された値に対応する入力される信号（信号種別３＝入力）の内容の例を以下に示す。
「フロースイッチ１」「フロースイッチ２」に設定された端子には、それぞれ、フロースイッチ４９Ａ、４９Ｂにて検出された信号が入力される。
「圧力センサ１」「圧力センサ２」に設定された端子には、それぞれ、圧力センサ４８、１７５にて検出された信号が入力される。
「温度センサ１」「温度センサ２」に設定された端子には、それぞれ、温度センサ３６Ａ、３６Ｂにて検出された信号が入力される。
「満水水位」、「減水水位」、「渇水復帰水位」、「渇水水位」に設定された端子には、それぞれ、給水方式が受水槽方式の場合に、満水水位の電極棒１６２ｅの信号、減水水位の電極棒１６２ｄの信号、渇水復帰水位の電極棒１６２ｃの信号、渇水水位の電極棒１６２ｂにて検出された信号が入力される。
【００６４】
図７Ｄに示すデータテーブルＤは、各端子の配置順の情報の一例を示す。例えば、図７Ｄは、外部出力端子７０ａの配置順を示している。そのほか、入力端子Ｅ１１〜Ｅ１５、Ｅ３１〜Ｅ３３、入力端子ＦＳ１、ＦＳ２、入力端子ＰＳ１、ＰＳ２等の各種端子も同様に配置順が記憶されてもよい。
【００６５】
［給水装置１０による給水制御］
制御部６５による給水装置１０の給水制御の一例について説明する。ポンプ３０Ａ，３０Ｂが停止している状態で吐出し圧力が所定の始動圧力にまで低下すると、制御部６５はポンプ３０Ａ，３０Ｂの少なくとも一方を始動させる。具体的には、制御部６５はポンプ３０Ａ，３０Ｂの駆動を開始するようにモータ部３３Ａ，３３Ｂ（インバータを備える場合にはインバータ）に指令を出す。ポンプ３０Ａ，３０Ｂの運転中は、設定された圧力（設定圧）により推定末端圧力一定制御または目標圧力一定制御などの制御が行われる。具体的には推定末端圧力一定制御の場合は、ポンプ３０Ａ，３０Ｂの回転数と設定圧による目標圧力制御カーブとを用いてポンプ３０Ａ，３０Ｂの吐出し圧力に対する目標圧（ＳＶ
）を設定し、目標圧力一定制御の場合は、設定圧を目標圧（ＳＶ）とする。また、吐出し圧力を現在圧（ＰＶ）とする。そして、ＳＶとＰＶの偏差にてＰＩ演算またはＰＩＤ演算を行いポンプ３０Ａ，３０Ｂの指令回転数が設定される。なお、直結給水にて推定末端圧力一定制御を行う場合、流入圧力に基づいて目標圧力制御カーブを補正してもよい。具体的には目標圧力制御カーブを流入圧力だけ加算し、目標圧（ＳＶ）を算出する。また、制御部６５は、本実施形態のようにポンプが複数台ある場合は、同時に起動可能なポンプ台数（ポンプ並列運転台数）にて水量に応じたポンプの台数制御も行う。本実施形態の給水装置１０は、設定圧、ポンプ台数および推定末端圧一定制御を行うか圧力一定制御を行うか、等のポンプ制御に関する制御パラメータも設定変更が可能である。
【００６６】
ポンプ３０Ａ，３０Ｂの運転中に建物での水の使用が少なくなると、フロースイッチ４９Ａ，４９Ｂは、過少水量を検出し、その検出信号を制御部６５に送る。制御部６５は、この検出信号を受けるとポンプ３０Ａ，３０Ｂに指令を出してポンプ３０Ａ，３０Ｂを所定回転数で運転させる。そして、制御部６５は、吐出し圧力が所定の運転停止圧力に達することにより圧力タンク５０に蓄圧したと判断すると、ポンプ３０Ａ，３０Ｂを停止（小水量停止）させる。ポンプ３０Ａ，３０Ｂが小水量停止した後に、再び建物内で水が使用されると吐出し圧力が始動圧力以下まで低下しポンプ３０Ａ，３０Ｂが始動する。なお、本実施形態のようにポンプが複数台ある場合には、始動するポンプ３０Ａ，３０Ｂをローテーションさせ、ポンプ３０Ａ，３０Ｂ内に水が滞留するのを防ぐことが好ましい。また、小水量を検知する方法としては、フロースイッチ４９Ａ，４９Ｂを用いずに、モータ部３３Ａ，３３Ｂの電流値による低負荷や締切圧力等その他の手段を用いてもよい。
【００６７】
また、本実施形態では、制御部６５は、制御用メモリ６６に記憶された制御パラメータ、たとえば図７Ａ〜図７Ｄの各種情報を参照することにより、給水方式等を判断する。特に受水槽方式の場合には、制御パラメータから受水槽の数、及び電極式レベルスイッチ１６２の電極の数などの情報を判断して受水槽制御を実行する。具体的には、制御部６５は、制御パラメータから受水槽１槽式、電極棒の数が５本であると判断すると、入力端子Ｅ１４に接続される電極棒が水面より露出したときには、受水槽１６０の水位が渇水水位よりも低くなったと判断して水位状態を渇水状態とする。渇水状態で制御部６５は、ポンプ３０Ａ，３０Ｂを強制停止すると共に渇水警報を発し、その後、入力端子Ｅ１３に接続される電極棒の一部が水没したときには、渇水復帰水位以上と判断して、ポンプ３０Ａ，３０Ｂの強制停止と渇水警報を共に解除する。また、制御部６５は、入力端子Ｅ１１に接続される電極棒の一部が水没したときには、受水槽１６０の水位が満水水位よりも高くなったと判断して、水位状態を満水状態とし、満水警報を発する。また、制御部６５は、入力端子Ｅ１２に接続される電極棒が水面より露出したときには、受水槽１６０の水位が減水水位よりも低くなったと判断して、水位状態を減水状態とし、減水警報を発し、その後、入力端子Ｅ１に接続される電極棒の一部が水没したときには、減水復帰水位以上と判断して、減水状態並びに減水水位警報を解除する。制御部６５は、満水状態、減水状態、渇水状態の何れも発生していない場合に、水位状態は正常状態とする。
【００６８】
［制御パラメータの設定］
次に、システム１０００における制御パラメータの設定について説明する。給水装置１０が記憶する制御パラメータの設定変更時に、制御パラメータに基づいたユーザー情報を表示することで、ユーザーは当該設定変更に伴って影響する内容を確認できる。また、本実施形態では、ユーザー情報を参照したユーザーによる所定の操作を経てから制御パラメータの設定変更が確定される。給水装置１０等のポンプ装置において、制御パラメータの設定コードとその値をユーザーに開示して、ユーザーが制御パラメータの値を容易に変更できるものとすると、ポンプ装置に不慣れなユーザーによって誤った値に設定変更され、最悪の場合断水してしまうおそれがある。そのため、誤設定を防ぐセキュリティを確保することが好ましい。そこで、本実施形態では、第１操作者と第２操作者とで異なる開示内
容を表示する。制御パラメータの設定コードや具体的な値をユーザーが認識する必要なく設定変更することができる。つまり、第１操作者には制御パラメータの設定コードや具体的な値に代えてまたは加えてユーザー情報を開示し、第２操作者には制御パラメータの設定コードや具体的な値を開示する。そのため、誤設定を防ぐセキュリティを確保できる。また、制御パラメータが変更された場合に、メンテナンス作業等を行う作業員に変更情報が共有されないと、ユーザーからの問い合わせや作業員による作業が煩雑になり得る。本実施形態では、制御パラメータの変更履歴を管理装置３１０が記憶するため、保守、点検、異常時の緊急対応等の作業時に作業員が変更情報を確認することができる。
【００６９】
本実施形態では、入出力部の外部出力端子７０ａおよび／または入力端子７０ｂ（以下、単に「端子」ともいう）の一部に異常が生じたときに入出力信号種別を再設定する際の際の手法について説明する。給水装置１０では、装置の経年劣化または落雷などのために、端子の一部に異常が生じてしまう場合がある。本実施形態のシステム１０００では、こうした異常が生じたときに、ユーザーが外部表示器８０に表示されるユーザー情報を参照し所定の操作をすることにより、給水装置１０が記憶する端子の入出力信号種別の制御パラメータを再設定することができるように構成されている。
【００７０】
給水装置１０は、装置の経年劣化または落雷などのために、信号を入力または出力する端子が正しい信号を入出力できなくなる等の異常が生じてしまうおそれがある。一部の端子のみに当該異常が生じた場合には、入出力部、または入出力部を有する制御部６５全体を交換することなく、異常が生じた端子の入出力信号種別を変更できる制御パラメータを再設定して装置を使用できる可能性がある。しかしながら、ポンプ装置において容易に制御パラメータを変更できるものとすると、ポンプ装置に不慣れな者によって誤って設定変更され、ポンプ３０Ａ，Ｂが正しく作動しない等給水に影響してしまうおそれがある。そのため、本実施形態では、ユーザーが該当する設定コードを確認して外部入出力に関する制御パラメータを変更する代わりに、外部入出力に関する結線情報をユーザー情報として作成し、当該ユーザー情報を外部表示器８０に表示する。そして、ユーザー情報を確認したユーザーに変更するか否かの選択をさせ、ユーザーが変更を選択したら、制御部６５は、通信にて該当する制御パラメータを変更される。そうすることで、ユーザーは制御パラメータを意識することなく、入出力信号種別を所望する構成に変更することができる。ここで、ユーザー情報として表示する外部入出力に関する結線情報は、外部機器である受水槽１６０から制御部６５へ入力される水位信号に関連する情報、または／および、制御部６５から外部機器である監視装置２１０へ出力される出力信号に関連する情報である。
【００７１】
さらに、制御部６５が雷等によって装置における入出力信号種別の設定情報が消失された場合には新品に交換される。この交換時に、従来の装置では、複数の端子のそれぞれについて１つずつ入出力信号種別を再設定することが求められ、設定作業が煩雑となる。そこで、所定の変更要求によって、管理装置３１０は記憶された制御パラメータの変更履歴に基づいて、外部入出力に関する結線情報をユーザー情報として作成し、制御部６５に送信する。制御部６５は、当該ユーザー情報を外部表示器８０に表示する。そして、ユーザー情報を確認したユーザーまたは作業員に変更するか否かの選択をさせ、ユーザーまたは作業員が変更を選択したら、通信により制御部６５は、該当する制御パラメータが設定変更される。そうすることで、ユーザーまたは作業員は制御パラメータを意識することなく、入出力信号種別を所望する構成に変更することができ、制御パラメータを運転パネル７９等から設定変更するよりも早く復旧させることができる。
【００７２】
図８Ａ並びに図８Ｂを用いて、システム１０００におけるＩ／Ｏ部７０の入出力信号種別を再設定する際の動作を説明する。
図８Ａは、システム１０００におけるＩ／Ｏ部７０の入出力信号種別を再設定する際の主な機能を示す機能ブロック図である。図８Ｂは、システム１０００におけるＩ／Ｏ部７
０の入出力信号種別を再設定する際の動作の一例を示す図である。図８Ｂは、システム１０００にて実行され、例えば、端子の一部に故障が生じたときやユーザーからの端子状態の表示要求により実行される。
【００７３】
本実施形態では、図８Ａに示すように、制御部６５は、制御パラメータに基づく制御（例えば、吐出し圧力制御、受水槽制御、および、外部出力等）を実行するポンプ制御手段５３０を有する。管理装置３１０は、管理する複数の給水装置１０毎の、制御パラメータを管理する制御パラメータ管理手段５１１と、制御パラメータの変更履歴を作成する変更履歴作成手段５１２と、を有する。外部表示器８０は、ユーザーが給水装置１０の制御パラメータの変更を確定するための変更確定入力手段５２１と、ユーザーが故障端子を入力するための異常端子特定手段５２２と、所定のユーザー情報を表示するユーザー情報表示手段５２３とを有する。更に、管理装置３１０は、制御パラメータの再割り当て作成手段５０１と、ユーザー情報作成手段５０２を有する。
【００７４】
外部表示器８０は、ユーザーからの外部出力端子に関するユーザー情報の表示要求等の所定のタイミングにて、管理装置３１０から制御パラメータの現在値を取得（ステップＳＢ０２）する。そして、操作表示部８０Ａに詳細を図９Ｂに示す異常情報の入力画面を表示（ステップＳＢ０４）し、ユーザーからの異常情報の入力を待機する（ステップＳＢ１０：Ｎｏ）。ステップＳＢ１０で、図９Ｂを参照して後述する選択部８０７ａ１〜８０７ｃ２の少なくともひとつと異常入力ボタン８０９が選択される（ステップＳＢ１０：Ｙｅｓ）と、外部表示器８０は、選択された端子の異常情報を管理装置３１０に送信する（ステップＳＢ１２）。上述したように、一部の端子のみに異常が生じた場合には、入出力部、または入出力部を有する制御部全体を交換することなく、複数の端子から入力または出力する信号の種別である入出力信号種別を再設定して装置を使用できる可能性がある。そのため、ステップＳＢ１０の端子の異常入力は制御パラメータの変更要求として機能する。
【００７５】
管理装置３１０は、外部表示器８０からステップＳＢ１２にて送信された端子の異常情報を受信すると、当該受信した異常情報に基づいて、制御パラメータの再割り当てを作成する。具体的には、管理装置３１０の再割り当て作成手段５０１は、Ｉ／Ｏ部７０の複数の端子の入出力信号種別の再割り当てを作成する（ステップＳＣ２０）。再割り当て作成手段５０１は、ユーザーの変更要求に応じて変更する制御パラメータを作成する。具体的には、端子の異常入力を変更要求として入力した再割り当て作成手段５０１は、外部表示器８０からの異常情報に基づいて、異常が生じた端子を除外して、複数の端子の入出力信号種別の再割り当てを作成するとよい。たとえば、ユーザーによって、外部表示用端子Ｂ１に異常が生じたことを示す入力が外部表示器８０になされたものとする。この場合、当該情報を外部表示器８０から受信したら再割り当て作成手段５０１は、外部表示用端子Ｂ１から出力する信号種別の割り当てを外し、外した信号種別を別の外部表示用端子に割り当てるものとしてもよい。
【００７６】
本実施形態では、再割り当て作成手段５０１による制御パラメータの再割り当ての一例として、現在信号種別が割り当てられていない外部表示用端子Ｃ１に、外部表示用端子Ｂ１から出力されていた信号種別（「満水」によりＯＮ出力をする信号）を割り当てるものとする。具体的には、本実施形態では、管理装置３１０の記憶部３６６は、給水装置１０の制御用メモリ６６に記憶されているデータテーブルＡ〜Ｄと同様のデータを有している。管理装置３１０が外部表示用端子Ｂ１に異常が生じたことを示す情報を外部表示器８０から受信すると、再割り当て作成手段５０１は、記憶部３６６に記憶されているデータテーブルＢを参照して、現在に外部表示用端子Ｂ１の値（設定コードＰ１３の値）に満水を示す「３」が割り当てられていることを確認する。続いて、管理装置３１０は、外部表示用端子Ｂ１の値が「０」となり、外部表示用端子Ａ１〜Ｃ２において値に「０」（割り当
てなし）が設定されている端子（一例として外部表示用端子Ｃ１）の値（一例として設定コードＰ１６の値）が「３」となるように、再割り当て情報を作成する。なお、管理装置３１０は、外部表示用端子Ｂ１の値が、割り当てなしに対応する値「０」に代えて、異常を示す値「９９９」に変更されるようにしてもよい。こうした再割り当て作成手段５０１による制御パラメータの再割り当てにより、異常が生じた端子以外の端子については入出力される信号種別が変わらないため、給水装置１０がＩ／Ｏ部７０の入出力信号種別を再設定したときにＩ／Ｏ部７０と監視装置２１０との配線変更を最小限にすることができる。
【００７７】
続いて、管理装置３１０は、作成した制御パラメータの再割り当てに基づいてユーザー情報を作成し（ステップＳＣ２２）、作成したユーザー情報を外部表示器８０に送信する（ステップＳＣ２４）。このように本実施形態では、管理装置３１０は、ユーザーによって制御パラメータの変更確定がなされる前には、再割り当ての制御パラメータを外部表示器８０に送信せず、再割り当ての制御パラメータに基づくユーザー情報を外部表示器８０に送信する。そして、外部表示器８０は、管理装置３１０から受信したユーザー情報を第２の記憶手段に記憶する（ステップＳＢ２８）。
【００７８】
外部表示器８０は、第２の記憶手段に記憶したユーザー情報を操作表示部８０Ａに表示する（ステップＳＢ３０）。ステップＳＢ３０でのユーザー情報の表示は、「第１の表示ステップ」での表示の一例に当たる。ステップＳＢ３０では、ユーザー情報は、ダウンロードおよび印刷の両方が制限されたアクセス権が設定される。つまり、給水装置１０における制御パラメータの設定変更前の操作表示部８０Ａにおけるユーザー情報の表示の際には、ユーザー情報のダウンロードおよび印刷の両方が不可となるように制限される。
【００７９】
また、本実施形態では、操作表示部８０Ａは、ステップＳＢ３０で表示したユーザー情報を基に、制御パラメータを変更するか否かをユーザーが確定することができる確定入力手段（図１０Ｂの変更確定ボタン８３０）を有している。変更確定入力手段を使用してユーザーによって変更確定入力が入力されると（ステップＳＢ３４）、外部表示器８０から管理装置３１０へ変更確定入力を示す情報が送信される（ステップＳＢ３６：Ｙｅｓ）。このように外部表示器８０がユーザーによる確定入力を受け付ける確定入力手段を有することにより、制御パラメータの意図しない変更を抑制できる。また、管理装置３１０の遠隔監視サービスを提供する業者は、この変更確定入力のタイミングを用いて、発生する料金や利用規約等をユーザーに示すことができる。これにより、管理装置３１０から遠隔にて制御パラメータを変更する際に、業者とユーザー間のトラブルを防止することができる。
【００８０】
外部表示器８０から管理装置３１０へ変更確定入力を示す情報が送信されると（ステップＳＢ３６）、管理装置３１０は、変更確定入力を受信したことを記憶部３６６に記憶し、再割り当ての制御パラメータを送信データに変換する（ステップＳＣ４０）。そして、管理装置３１０は、再割り当ての制御パラメータを外部表示器８０に送信する（ステップＳＣ４２）。ここで、管理装置３１０からは、再割り当てによって変更する制御パラメータのみが送信されてもよいし、変更する制御パラメータを含む一連の制御パラメータが送信されてもよい。このように本実施形態では、管理装置３１０は、ユーザーによって制御パラメータの変更確定がなされた後に再割り当ての制御パラメータを外部表示器８０に送信する。つまり、管理装置３１０は、まず、再割り当ての制御パラメータに基づくユーザー情報を外部表示器８０に送信し（ステップＳＣ２２）、ユーザーによる制御パラメータの変更確定（ステップＳＢ３４：Ｙｅｓ）の後に、再割り当ての制御パラメータを外部表示器８０に送信する（ステップＳＣ４２）。外部表示器８０は、管理装置３１０から再割り当ての制御パラメータを受信すると、受信した再割り当ての制御パラメータを表示するとなく、給水装置１０へと送信する（ＳＢ５０）。なお、管理装置３１０と給水装置１０
とがネットワーク等を介して直接通信できる場合、管理装置３１０は、外部表示器８０を介さずに直接、変更する制御パラメータを給水装置１０へと送信してもよい。
【００８１】
続いて、給水装置１０は、受信した再割り当ての制御パラメータに応じて、制御用メモリ６６に記憶されている設定パラメータを変更し（ステップＳＡ６０）、変更の完了を示す変更完了信号を外部表示器８０に送信する（ステップＳＡ６２）。
【００８２】
外部表示器８０は、変更完了信号を受信すると、受信した変更完了信号を管理装置３１０に送信する（ステップＳＢ７０）。管理装置３１０は、変更完了信号を受信したら、再割り当ての制御パラメータを確定し（ステップＳＣ７２）、変更履歴を作成する（ステップＳＣ７４）。なお、管理装置３１０と給水装置１０とがネットワーク等を介して直接通信できる場合、給水装置１０は、外部表示器８０を介さずに直接、変更完了信号を管理装置３１０へと送信してもよい。
【００８３】
また、外部表示器８０は、ステップＳ６２Ａで変更完了信号を受信したら、変更が完了した制御パラメータに基づくユーザー情報を操作表示部８０Ａに表示する（ステップＳＢ８０）。ステップＳＢ８０でのユーザー情報の表示は、「第２の表示ステップ」での表示の一例に当たる。ステップＳＢ８０では、ユーザー情報は、ユーザーに対してダウンロードおよび／または印刷が許可されたアクセス権が設定され表示される。つまり、給水装置１０における制御パラメータの設定変更後の操作表示部８０Ａにおけるユーザー情報の表示の際には、ユーザー情報のダウンロードおよび／印刷が許可される。これにより、ユーザーはユーザー情報を自身のパソコン（記憶装置）や紙媒体にて管理することができる。
【００８４】
制御パラメータの変更が完了していないステップＳＢ３０ではユーザー情報のダウンロードおよび印刷の両方を不可とし、制御パラメータの変更が完了したステップＳＢ８０で、ユーザー情報のダウンロードおよび／または印刷が許可される。給水装置１０は、ポンプ室などの電気的ノイズを受ける、電波が届きにくい、また、ポンプ３０Ａ，３０Ｂの振動の影響を受ける、等の通信環境が悪い状態で設置されることがある。そのため、ユーザーが変更確定をした後、ステップＳＢ３６〜ステップＳＢ６２の何れかのステップにて制御部６５への制御パラメータの変更が失敗することが懸念される。しかしながら、本実施形態では、ステップＳＢ６２の変更完了を受信した後に、ステップＳＢ８０でダウンロードおよび／または印刷が許可されるため、ユーザーは、制御部６５にて実行されている制御パラメータに基づいたユーザー情報を別の記憶装置や紙媒体にて管理することができる。
【００８５】
また、本実施形態では、操作表示部８０Ａは、操作表示部８０Ａに履歴表示を行うか否かをユーザーが要求することができる履歴表示要求手段を有している。履歴表示要求手段を使用してユーザーによって履歴表示要求がなされると（ステップＳＢ９０：Ｙｅｓ）、変更履歴の送信を要求するための変更履歴送信要求信号を管理装置３１０に送信する（ステップＳＢ９２）。そして、変更履歴要求信号を受信した管理装置３１０は、ステップＳＣ７４で作成した変更履歴を外部表示器８０に送信し（ステップＳＣ１００）、変更履歴を受信した外部表示器８０は、受信した変更履歴に基づいて操作表示部８０Ａの表示を行う（ステップＳＢ１１０）。
【００８６】
このように、本実施形態は、ポンプ３０Ａ，３０Ｂと、設定変更可能な制御パラメータに基づいてポンプ制御を行う制御部６５と、を備えた給水装置１０と、表示部である給水装置１０の外部表示部８０と、管理装置３１０と、を備えるシステム１０００が、給水装置１０の制御パラメータを管理する管理方法を提供している。当該管理方法は、所定の変更要求（例えば、ステップＳＢ１０の入出力端子の異常情報の入力）がなされたときに、当該変更要求によって変更される制御パラメータと前記変更される制御パラメータに基づ
くユーザー情報と、を記憶部３６６に記憶する記憶ステップと、変更される制御パラメータに基づいたユーザー情報を、外部表示器８０に表示する第１の表示ステップ（ステップＳＢ３０）と、を含む。そして、第１の表示ステップにてユーザー情報を表示した後に、制御部６５の制御パラメータを変更する変更ステップ（ステップＳＡ６０）と、を含む。システム１０００は、第１の表示ステップによって示されたユーザー情報を基に、ユーザーが前記制御パラメータを変更するか否かを確定する確定入力手段（変更確定ボタン８３０）を含み、確定入力手段による確定入力を受け付ける確定入力受付ステップ（ステップＳＢ３４）にて制御パラメータの変更が確定されたとき、制御部６５は変更ステップ（ステップＳＡ６０）を実行する。
【００８７】
次に、制御パラメータと制御パラメータに基づくユーザー情報について説明する。
ユーザー情報は、外部表示器８０において、制御パラメータに関連してユーザーに影響すると懸念される内容をユーザーに表示するために使用される。このため、以下では、外部表示器８０における表示の説明と共に、制御パラメータとユーザー情報とを説明する。
【００８８】
外部表示器８０は、表示情報として、端子の配置を示すグラフィックと、端子が入出力する信号の種別（入出力信号種別）と、を併せて表示する。外部表示器８０は、ユーザー情報表示手段５２３を有する。ユーザー情報表示手段５２３は、給水装置１０の制御パラメータに基づいたグラフィックを操作表示部８０Ａに表示する。
【００８９】
図９Ａ、図９Ｂは、システム１０００における表示の一例を示している。図９Ａは、制御パラメータの表示の一例を示す図である。図９Ｂは、ユーザー情報の表示の一例を示している。具体的には、図９Ａでは、制御パラメータ並びにその値が表示され、図９Ｂは、制御パラメータである設定コードＰ１１〜Ｐ１７が図９Ａに示す値であるときのユーザー情報の表示の一例に当たる。第１モードでは図９Ｂが表示され、第２モードでは図９Ｂに加えてまたは代えて図９Ａが表示される。
【００９０】
図９Ｂは、図８ＢのステップＳＢ１０での外部表示器８０によるユーザー情報の表示の一例を示している。
図９Ｂは、外部出力端子７０ａの配置と当該外部出力端子７０ａから出力される信号種別（入出力信号種別）とのグラフィック表示を示す。これらの外部出力端子７０ａの配置と入出力信号種別とは、制御部６５から外部機器である監視装置２１０へ出力される出力信号に関連するユーザー情報の一例に当たる。上記したように、これらのユーザー情報は、ユーザー情報作成手段５０２にて作成される。ユーザー情報作成手段５０２は、各設定コードおよび設定値に関連付けた複数のユーザー情報をユーザー情報群として有しており、所定のタイミングで、当該ユーザー情報群の中から表示するユーザー情報を選択する。変更要求によって変更される制御パラメータに信号種別が含まれるとき、ユーザー情報作成部５０２にて作成されるユーザー情報は、外部出力端子７０ａの複数の端子の配置順と当該配置順におけるそれぞれの信号種別を示す結線図であるとよい。具体的には、ユーザー情報作成手段５０２は、先ず、外部出力端子７０ａ各端子の配置の順番を制御用メモリ６６のデータテーブルＤの情報を基に作図し、次に、配置順と同じ順番に並べた入出力信号種別をデータテーブルＢの情報を基に作図する。このように、ユーザー情報作成手段５０２にて図９に示すグラフィックがユーザー情報として作図される。ユーザー情報作成手段５０２は、当該作成したユーザー情報を、制御パラメータの設定コードとその値に関連付けてユーザー情報群として保有する。もしくは、外部表示器８０は、ユーザー情報作成手段５０２にて作成される全ての外部出力端子７０ａの配置順および入出力信号種別に対応する複数のグラフィックを予めユーザー情報群として有してもよい。
【００９１】
ここで、端子のグラフィック表示としては、端子を識別するための識別情報をグラフィック表示することが含まれるとよい。こうしたユーザー情報の表示により、ユーザーは、
図９Ａに示すような制御パラメータの設定コードおよびその値のみが表示された操作表示部８０Ａを確認するのに比して、制御部６５と監視装置２１０との配線を容易に認識できる。なお、図９Ｂおよび後述する表示の示す例では、外部出力端子７０ａの信号の配置および入出力信号種別を示しているが、これに代えてまたは加えて、入力端子７０ｂの信号の配置および入出力信号種別も同様に表示されてもよい。
【００９２】
操作表示部８０Ａにおける表示について詳細に説明する。図９Ｂに示す例では、外部出力端子７０ａの各端子の配置順をグラフィック表示する端子グラフィック部８０２、外部出力端子７０ａにおける給水装置１０内の導通を結線で示す結線図グラフィック部８０６、及び外部出力端子７０ａのそれぞれから出力される信号の内容を示す信号種別を文字情報で示す信号種別文字情報部８０８が、外部表示器８０の操作表示部８０Ａに表示されている。なお、信号種別文字情報部８０８は、例えば、給水装置１０から取得したデータテーブルＢの情報に基づくと共にデータテーブルＣの各値に基づいて表示されるとよい。
【００９３】
端子グラフィック部８０２に示す外部出力端子７０ａの各端子の配置順は、図６に示す実際の基板上の端子の配置と同じ並び順で示している。これにより、ユーザー情報を参照することで、正しい配線を行うことが容易となる。具体的には、端子グラフィック部８０２では、外部出力端子７０ａの配置のグラフィック表示として、図７ＤのデータテーブルＤの並びと同様の順番、つまり、外部表示用端子Ａ１，Ａ２、外部表示用端子Ａ１，Ａ２のコモン端子ＡＣＭ、外部表示用端子Ｂ１，Ｂ２，Ｂ３、外部表示用端子Ｂ１，Ｂ２，Ｂ３のコモン端子ＢＣＭ、外部表示用端子Ｃ１，Ｃ２、および外部表示用端子Ｃ１，Ｃ２のコモン端子ＣＣＭの順で並べて表示されている。なお、端子グラフィック部８０２は、実際の給水装置１０における外部表示用端子Ａ１，Ａ２，Ｂ１，Ｂ２，Ｂ３，Ｃ１，Ｃ２，ＡＣＭ，ＢＣＭ，ＣＣＭの配置の順番と一致する又は対応する配置でグラフィック表示されるとよい。また、端子の配置順は、設定情報ではなく装置情報として外部表示器８０または／および制御部６５に記憶された固定の値でも構わない。また、図９Ｂに示す例では、端子グラフィック部８０２の隣に、「外部表示用端子」と文字情報で示す端子種別文字情報部８０４が表示されている。端子種別文字情報部８０４は、例えば、ステップＳＢ０２にて取得したデータテーブルＢの端子の種別の各値に基づいて表示されるとよい。これにより、端子グラフィック部８０２の表示が外部表示用端子を示していることがユーザーに分かり易くなる。
【００９４】
図９Ｂに示す例では、端子グラフィック部８０２は、図形と文字とを使用して外部出力端子７０ａをグラフィック表示しているが、こうした例に限定されず、例えば実際の給水装置１０の外部出力端子７０ａの画像を使用して外部出力端子７０ａをグラフィック表示してもよい。また、外部表示器８０は、拡張現実（ＡＲ：Augmented Reality）を利用し
て、外部出力端子７０ａをグラフィック表示してもよい。具体的には、制御部６５は、外部出力端子７０ａが実装された基板上に外部出力端子７０ａを識別するための識別標識Ｍ１，Ｍ２が印刷されている。識別標識Ｍ１，Ｍ２が外部出力端子７０ａの側に配置されることで、撮像した外部表示器８０は、外部出力端子７０ａの配置順や大きさ等を識別できる。外部表示器８０は、更に、識別標識Ｍ１，Ｍ２と外部出力端子７０ａとを含む制御部６５を撮像する撮像装置を備え、撮像した外部出力端子７０ａの画像と、識別標識Ｍ１，Ｍ２より取得した情報と、給水装置１０から取得した情報に基づいた結線図グラフィック部８０６と、信号種別文字情報部８０８と、を合成して操作表示部８０Ａに表示する。さらに、外部表示器８０は、操作表示部８０Ａに設けられたＡＲ表示ボタン８１０が押されると拡張現実を利用して外部出力端子７０ａをグラフィック表示し、操作表示部８０Ａに設けられたＡＲ解除ボタン８１２が押されると拡張現実による表示を解除して端子グラフィック部８０２を用いて外部出力端子７０ａをグラフィック表示してもよい。また、拡張現実を利用して外部出力端子７０ａをグラフィック表示する際には、「Ａ１」、「Ａ２」、「Ｂ１」、「Ｂ２」、「Ｂ３」、「Ｃ１」、「Ｃ２」といった外部出力端子７０ａを識
別するための文字情報と、結線図グラフィック部８０６と、信号種別文字情報部８０８とのうち、少なくとも１つが撮像した外部出力端子７０ａの画像と併せて示されるとよい。
【００９５】
図９Ｃに示すように、外部表示器８０は、拡張現実を利用した表示方法として、以下のステップを有する。
（ステップ１４１）
入出力部７０の何れかの端子を撮像する撮像ステップ。このとき、撮像する入出力部に対応する識別標識（ＡＲマーカー）Ｍ１，Ｍ２も撮像する。
（ステップ１４２）
当該撮像された入出力部７０の端子の画像に、入出力部７０における信号の配置を示すグラフィック（端子グラフィック部８０２）と、信号の種別（端子種別文字情報部８０４、結線図グラフィック部８０６、信号種別文字情報部８０８）と、を合成する画像合成ステップ。
具体的には、撮像された入出力部７０の各端子の画像と端子グラフィック部８０２の各端子が重なるように合成され、当該合成された端子グラフィック部８０２の横には、端子種別文字情報部８０４、結線図グラフィック部８０６および信号種別文字情報部８０８のうち、少なくともひとつが併せて表示されるよう合成される。また、本ステップでは、後述する強調表示部８４９も併せて合成されるとよい。
（ステップ１４３）
当該合成された前記入出力部の画像を表示する表示ステップ。
【００９６】
制御部６５は、入出力部７０と同じ基板上に、入出力部７０の各入力端子に対応する識別標識Ｍ１，Ｍ２を有するため、上述の撮像ステップでは、撮像する端子と当該端子に対応する識別標識Ｍ１，Ｍ２が同時に撮像できる。そして、合成ステップで、撮像した識別標識Ｍ１，Ｍ２に基づいた情報を入出力部７０の画像に合成する。なお、本実施形態では、識別標識Ｍ１，Ｍ２は、図６に示すように、対応する端子の両側に配置される。これにより、撮像する端子と当該端子に対応する識別標識Ｍ１，Ｍ２とを同時に撮像するのが容易となる。一実施形態では、識別標識は、対応する端子の両端に配置されるのに限らず、ステップ１４１にて同一の画像にて撮像できるよう対応する端子の近傍に配置されればよい。
【００９７】
結線図グラフィック部８０６は、外部出力端子７０ａと給水装置１０内の導通による結線状態を示す結線図をグラフィック表示する。具体的には、図９に示す例では、結線図グラフィック部８０６として、外部表示用端子Ａ１，Ａ２は、コモン端子ＡＣＭと導通するか否かのＯＮ／ＯＦＦ信号を示し、外部表示用端子Ｂ１，Ｂ２，Ｂ３は、コモン端子ＢＣＭと導通するか否かのＯＮ／ＯＦＦ信号を示し、外部表示用端子Ｃ１，Ｃ２は、コモン端子ＣＣＭと導通するか否かのＯＮ／ＯＦＦ信号を示す。結線図グラフィック部８０６は、例えば、ステップＳＢ０２にて取得したデータテーブルＢのコモンの各値に基づいて表示されるとよい。
【００９８】
信号種別文字情報部８０８は、端子グラフィック部８０２に隣接して表示されている。具体的には、図９に示す例では、ステップＳＢ０２にて取得したデータテーブルＢのＰ１１〜Ｐ１７の各値に基づいて、外部表示用端子Ａ１から「運転一括」を示す信号が出力され、外部表示用端子Ａ２から「故障一括」を示す信号が出力され、外部表示用端子Ｂ１から「満水」の信号が出力され、外部表示用端子Ｂ２から「減水」を示す信号が出力され、外部表示用端子Ｂ３から「渇水」示す信号が出力され、外部表示端子Ｃ１，Ｃ２には出力信号が割り当てられていないことが示されている。このように、端子グラフィック部８０２を実際の給水装置１０における外部表示用端子Ａ１，Ａ２，ＡＣＭ，Ｂ１，Ｂ２，Ｂ３，ＢＣＭ，Ｃ１，Ｃ２，ＣＣＭの配置の順番と一致する又は対応する順番にて表示し、なお且つ、端子グラフィック部８０２に隣接して、外部出力端子７０ａから出力される信号
の内容を示す信号種別が併せて表示されることにより、ユーザーは、給水装置１０の外部出力端子７０ａと監視装置２１０との配線作業並びに配線の接続確認を容易に行うことができる。
【００９９】
外部表示器８０は、端子グラフィック部８０２、結線図グラフィック部８０６、及び信号種別文字情報部８０８のうちの少なくともひとつにおいて、現在ＯＮ状態の外部出力端子７０ａに対応する信号種別を強調表示部８４９で強調表示する。導通状態であるＯＮ信号を意味する強調表示部８４９は、例えば、ステップＳＡ０にて取得した値に基づいて表示されるとよい。具体的には、ここでは、制御部６５で、Ａ１の端子がＯＮ信号を出力しているため、「運転一括」の文字を太枠線で強調表示する。これにより、ユーザーは、外部表示器８０を見て、外部表示用端子Ａ１がＯＮ信号を出力していることを容易に理解することができる。なお、強調表示では、強調表示部８４９の太枠に代えてまたは加えて、点灯や点滅、フォントや文字の大きさ、表示色、等でＯＦＦ状態の端子と区別できればよい。強調表示部８４９は、現在ＯＮ状態の外部出力端子７０ａと、現在ＯＦＦ状態の外部出力端子７０ａとを区別してグラフィック表示するものであり、外部出力端子７０ａが出力する信号の状態をグラフィック表示する「入出力情報表示」の一例に当たる。
【０１００】
また、操作表示部８０Ａには、外部出力端子７０ａに対応する選択部８０７ａ１〜８０７ｃ２と、端子異常入力ボタン８０９と、が設けられ、選択部８０７ａ１〜８０７ｃ２の何れかの選択と、端子異常入力ボタン８０９とが選択されると、外部表示器８０は、選択された端子の異常情報が入力されたと判断する。なお、異常入力ボタン８０９は、操作表示部８０Ａに常時設けられるものに限定されず、ユーザーによって外部表示器８０に所定の操作がなされることによって操作表示部８０Ａに表示されるものとしてもよい。
【０１０１】
なお、外部表示器８０に表示される外部出力端子７０ａの信号の種別等で用いられる名称は、管理装置３１０、制御用メモリ６６および／または外部表示器８０に、設定値情報として記憶されてもよいし、装置情報として固定の値として記憶されてもよい。ただし、設定値情報として記憶されている場合、表示の変更等が容易となる。このように、ユーザー情報作成手段は、制御パラメータであるデータテーブルＡ〜Ｄの各値に基づいて表示用情報を作成する。
【０１０２】
図１０Ａ、図１０Ｂは、システム１０００における表示の一例を示している。
図１０Ａは、管理装置３１０の再割り当て作成手段５０１によって作成された再割り当ての制御パラメータの表示の一例を示す図である。図１０Ｂは、ユーザー情報の表示の一例を示している。具体的には、図１０Ａでは、制御パラメータ並びにその値が表示され、図１０Ｂは、制御パラメータである設定コードＰ１１〜Ｐ１７が図９Ａに示す値であるときのユーザー情報の表示の一例に当たる。第１モードでは図９Ｂが表示され、第２モードでは図１０Ｂに加えてまたは代えて図９Ａが表示される。図１０Ｂは、外部表示器８０による図８ＢのステップＳＢ３０での表示の一例を示す図である。
【０１０３】
図１０Ａは、図８ＢのステップＳＢ３０時点で第２の記憶手段に記憶した制御パラメータを、外部表示器８０にて第２モードで表示した例を示している。図１０Ａに示すように、第２モードでは、制御パラメータの設定コードとその設定値を表示する。更に、第２モードでは、設定コードとその設定値に加えて後述するユーザー情報を表示してもよい。
【０１０４】
図１０Ａに示す各値は、図８Ｂを参照して説明した再割り当て作成手段５０１によって再割り当てされた制御パラメータを示している。再割り当て作成手段５０１は、図８ＢのステップＳＢ１０にて入力された情報に基づいて、図７Ｃに示す値の中から図７Ｂの設定コードに適切な値を選定する。例えば、図９Ｂに示す選択部８０７ｂ１が選択され且つ端子異常入力ボタン８０９が押下されることで端子Ｂ１が異常端子に選択された場合、当該
端子Ｂ１に対応する設定コードＰ１３に割り付けられた出力を他の端子（ここでは、出力なしに設定されている端子Ｃ１）に割り付ける。具体的には、ステップＳＣで再割り当て作成手段５０１は、図９Ａに示す例から以下（１）（２）に示す制御パラメータが変更される。（設定コードと各値は図7Ｂ、図7Ｃ参照）
（１）設定コードＰ１３の値が満水を示す「３」から異常端子を示す「９９９」へと変更。
（２）設定コードＰ１６の値が出力なしを示す「０」から満水を示す「３」へと変更。
【０１０５】
管理装置３１０のユーザー情報作成手段５０２は、この再割り当て制御パラメータに基づいて、外部表示器８０の操作表示部８０Ａにて表示するためのユーザー情報を作成する。一例として、ユーザー情報作成手段５０２は、上記した図９Ａと同様に、再割り当ての制御パラメータに基づいてユーザー情報の表示を作成する。更に、ユーザー情報作成手段５０２並びにユーザー情報表示手段５２３によって作成される図１０Ｂに示すユーザー情報は、現在の給水装置１０における制御パラメータからの変化部分を示す情報を含んでもよい。これにより、変更される外部出力をより明確にすることで、ユーザーの変更を行うか否かの判断ミスや結線ミスを防止することができる。
【０１０６】
図１０Ｂに示す例では、図９Ｂに示す例と同様に、端子グラフィック部８０２、結線図グラフィック部８０６、および信号種別文字情報部８０８が、外部表示器８０の操作表示部８０Ａに表示されている。なお、図９と重複する部分については説明を省略する。図１０に示す例では、端子グラフィック部８０２における異常が生じた外部表示用端子に対して異常表示部８２２が併せて示されている。具体的には、ここでは、端子Ｂ１に異常が生じているため、「Ｂ１」の文字に二重線が重ねられて異常が示されている。異常表示部８２２は、管理装置３１０から受信したユーザー情報に基づいて表示される。つまり、本実施形態では、ユーザー情報は、異常が生じた外部表示用端子を示す情報を含む。
【０１０７】
また、図１０Ｂに示す例では、信号種別文字情報部８０８に強調表示部８２４，８２６が併せて示されることにより、再割り当てによって新たに変更される入出力信号種別が強調表示されている。具体的には、ここでは、端子Ｂ１から出力されていた満水信号を示す「満水」の文字に二重線（強調表示部８２４）が重ねられて割り当てが削除されることが示されており、端子Ｃ１から新たに出力される満水信号を示す「満水」の文字が太枠（強調表示部８２６）で強調表示されている。強調表示部８２４，８２６は、ステップＳＣ２４にて管理装置３１０から受信したユーザー情報に基づいて表示される。強調表示部８２４，８２６は、現在の給水装置１０における制御パラメータからの変化部分を示すものの一例に当たる。つまり、本実施形態では、ユーザー情報は、現在の給水装置１０における制御パラメータからの変化部分を示す情報を含む。こうした強調表示部８２４，８２６によって、ユーザーは、入出力信号種別の再割り当てを容易に確認することができる。
【０１０８】
図１１は、外部表示器８０による図８ＢのステップＳＢ８０での表示の一例を示す図である。図１１において、図１０Ｂと重複する部分については説明を省略する。図１１は、図１０Ｂに示す変更確定ボタン８３０、変更キャンセルボタン８３２に代えて、ユーザー情報をダウンロードするためのダウンロードボタン８４０と、ユーザー情報を印刷するための印刷ボタン８４２とが表示される。本実施形態では、図８を参照して説明したように、ユーザーによって制御パラメータの変更確定（ステップＳＢ３４）がなされる前であるステップＳＢ３０での表示（第１の表示ステップ）では、ユーザー情報のダウンロードおよび／または印刷が制限される。これにより、ユーザーは、実際には変更されていない制御パラメータに基づくユーザー情報をダウンロード・印刷して参照し、誤って給水装置１０を操作または配線等することを防止できる。そして、ユーザーによる制御パラメータの変更確定（ステップＳＢ３４：Ｙｅｓ）後であるステップＳＢ８０での表示（第２の表示ステップ）では、ダウンロードボタン８４０と印刷ボタン８４２とが操作表示部８０Ａに
表示されてユーザー情報のダウンロードおよび／または印刷が可能となる。これにより、ユーザーは確定した制御パラメータに基づくユーザー情報をデータや紙媒体にて保存できる。
【０１０９】
なお、外部表示器８０の第２モードの表示では、図１１に示すユーザー情報に対応する制御パラメータの設定コードとその値も表示される。具体的には、当該表示は、図８ＢのステップＳＢ８０時点での制御パラメータの設定コードとその値が表示され、例えば、図１０Ａと同様の表示である。
【０１１０】
図１２は、外部表示器８０による図８ＢのステップＳ１１０での表示の一例を示す図である。図１２に示す例では、外部表示器８０の操作表示部８０Ａの上方の領域に、変更を行った日時を文字情報で示す変更日時情報部８７１、作業者を文字情報で示す作業者情報部８７２が、併せて示されている。また、操作表示部８０Ａには、異常が生じた端子の入力、および入出力信号種別の変更を文字情報で示す変更情報表示部８７３が示されている。なお、これらの情報は、管理装置３１０の変更履歴作成手段５１２にて記憶部３６６に記憶されるとよい。また、図１２に示す例では、操作表示部８０Ａの下方の領域に、変更後のＩ／Ｏ部７０における各端子の信号種別の配置順を示すグラフィックと、変更後の入出力信号種別の文字情報とが併せて表示されている。これらの表示は、図１２に示す例では、図１０Ｂに示す例と同様に、端子グラフィック部８０２、端子種別文字情報部８０４、および信号種別文字情報部８０８が使用されている。また、異常が生じた端子Ｂ１については、異常が生じていることを異常表示部８２２で強調して表示している。同様に、以降の外部表示器８０における給水装置１０の状態を示す表示状態の表示では、異常表示部８２２が表示されてもよい。こうすれば、ユーザーは、外部表示器８０における表示を見て端子の異常を認識することができる。なお、外部表示器８０による異常表示部８２２の表示は、制御用メモリ６６に記憶されている故障履歴またはメンテナンス履歴を参照することにより行われてもよいし、データテーブルＢにおける異常が生じたことを示す設定値を参照することにより行われてもよい。
【０１１１】
なお、変更履歴の表示においても、第１モードでは、図１２に示すように、変更された設定コードとその値を表示するのに代えて、変更された端子名と信号種別を変更情報表示部８７３にて表示し、第２モードで変更された設定コードとその値を表示してもよい。
【０１１２】
以上説明したシステム１０００では、所定の変更要求がなされたときに、変更される制御パラメータ（上記の例では再割り当ての制御パラメータ）と、当該制御パラメータに基づくユーザー情報と、を管理装置３１０に記憶し、変更される制御パラメータに基づいたユーザー情報を、表示部（上記の例では、外部表示器８０に操作表示部８０Ａに）に表示する。これにより、制御パラメータの設定変更時に、当該設定変更に伴ってユーザーに影響すると懸念される内容をユーザーへ示すことができ、ユーザーが当該設定へ項に伴う影響に容易に対処することができる。
【０１１３】
また、上記したシステム１０００では、外部表示器８０を通じて端子の異常が入力され、入力された情報に基づいて管理装置３１０が入出力信号種別の再割り当てを作成する。そして、給水装置１０の制御部６５は、作成された再割り当てに基づいて入出力信号種別を変更する。こうしたシステム１０００によれば、Ｉ／Ｏ部７０における端子に異常が生じた場合に、容易に対処することができる。
【０１１４】
なお、システム１０００における給水装置１０の制御部６５、外部表示器８０、または管理装置３１０は、制御部６５のメンテナンスに関する情報を報知できるように構成されてもよい。この場合、端子の異常が入力（特定）された場合、または制御部６５によって入出力信号種別の変更が行われた場合には、次回のメンテナンス時期が早くなると判断し
、当該メンテナンス時期をメンテナンス情報として報知するものとしてもよい。たとえば、制御部６５は、端子の異常が生じていない場合には、使用時間として前回の制御部６５の交換からの時間を使用期間としてカウントし、当該のカウントが第１の時間（例えば５年）が経過したときにメンテナンス時期に到達したと判断して制御部６５の交換を促すように、表示部７２に表示を行う。一方、制御部６５は、端子の異常が生じて入出力信号種別が変更された場合には前回の制御部６５の交換からの時間を使用期間としてカウントし、当該使用期間が第１の時間よりも短い第２の時間（例えば３年）が経過したときにメンテナンス時期に到達したと判断して制御部６５の交換を促すように、表示部７２に表示を行う。こうした表示により、制御部６５のメンテナンスを実際の制御部６５の状況に応じて適切に報知することができる。
【０１１５】
図５Ａに示すようにシステム１０００は、Ｉ／Ｏ部７０の複数の端子のうち異常が生じた端子を特定するための異常端子特定部１００２と、入出力信号種別の再割り当てを作成する再割り当て作成部１０４０と、を備える。なお、図５Ａに示す例では、異常端子特定部１００２と、再割り当て作成部１０４０とは、管理装置３１０に設けられるものとしているが、こうした例に限定されない。つまり、異常端子特定部１００２と再割り当て作成部１０４０との少なくとも一方は、管理装置３１０に設けられるのに代えて、または加えて、外部表示器８０と給水装置１０との少なくとも一方に設けられてもよい。
【０１１６】
ここで、図８Ｂに示す例では、外部表示器８０からの異常情報を受信する通信部３７３および／または当該受信した異常情報を処理する演算部３６９等が異常端子特定部１００２に相当する。また、図８Ｂに示す例では、ステップＳＣ３の処理を実行する演算部３６９等が再割り当て作成部１００４に相当する。なお、異常端子特定部１００２としては、ユーザーによる外部表示器８０への入力に基づいて端子の異常を特定するものに限定されず、給水装置１０または管理装置３１０への入力に基づいて端子の異常が特定されてもよい。
【０１１７】
また、異常端子特定部１００２としては、ユーザーの入力によって端子の異常を特定するものに限定されず、給水装置１０、外部表示器８０、または管理装置３１０のいずれかにおいて、以下の例に示す方法にて自動的に端子の異常が特定されるものとしてもよい。自動的に端子の異常を特定する場合、当該異常の特定が制御パラメータの変更要求として機能するとよい。
【０１１８】
システム１０００にて自動的に端子の異常を特定する方法の第１の例として、監視装置２１０の出力部２１５と給水装置１０のＩ／Ｏ部７０とが有線または無線で接続され、監視装置２１０の入力部２１４に給水装置１０から入力された信号が、給水装置１０にフィードバックされてもよい。こうすれば、給水装置１０は、自身が送信したはずの信号が正しく監視装置２１０に入力されているか否かを判定することができる。そして、給水装置１０は、自身が送信したはずの信号と監視装置２１０からフィードバックされる信号とが異なる場合には、対象の端子について異常が生じていると特定することができる。
【０１１９】
また、システム１０００にて自動的に端子の異常を特定する方法の第２の例として、監視装置２１０は、入力部２１４に給水装置１０から入力された信号を外部表示器２８０に送信するものとしてもよい。そして、外部表示器８０は、給水装置１０のＩ／Ｏ部７０から出力される（はずの）信号を給水装置１０から受信し、監視装置２１０の入力部２１４に入力された信号を外部表示器２８０から受信する。これにより、外部表示器８０は、給水装置１０から出力されるはずの信号が正しく監視装置２１０に入力されているか否かを判定することができる。そして、外部表示器８０は、給水装置１０から出力されるはずの信号と監視装置２１０に入力される信号とが異なる場合には、対象の端子について異常が生じていると特定することができる。
【０１２０】
さらに、システム１０００にて自動的に端子の異常を特定する方法の第３の例として、管理装置３１０は、給水装置１０のＩ／Ｏ部７０から出力される（はずの）信号を給水装置１０から受信し、監視装置２１０の入力部２１４に入力された信号を外部表示器２８０から受信してもよい。こうすれば、第２の例における外部表示器８０と同様に、管理装置３１０は、給水装置１０から出力されるはずの信号が正しく監視装置２１０に入力されているか否かを判定することができ、対象の端子について異常が生じていることを特定することができる。
【０１２１】
（変形例１）
図１３Ａは、上記した本実施形態のシステム１０００における変形例を示す機能ブロック図である。図１３Ｂは、上記した本実施形態のシステム１０００における制御パラメータを再設定する際の動作の変形例を示す図である。図１３Ａ，図１３Ｂでは、図８Ａ，図８Ｂと重複する説明は省略する。
【０１２２】
図８Ａでは管理装置３１０が有する再割り当て作成手段５０１並びにユーザー情報作成手段５０２を、図１３Ａでは制御部６５が有する。
【０１２３】
図１３Ｂでは、外部表示器８０に異常情報が入力されると（ステップＳＢ１０）、外部表示器８０は、管理装置３１０への異常入力に基づく異常情報の送信に代えて、または加えて、給水装置１０へ異常情報を送信している（ステップＳＢ１２Ａ）。なお、管理装置３１０は、異常情報を受信すると、当該異常情報を記憶部３６６に記憶して管理するとよい。そして、給水装置１０は、外部表示器８０から異常情報を受信すると、異常情報を制御用メモリ６６に記憶すると共に、当該受信した異常情報に基づいて、制御パラメータの再割り当てを作成する（ステップＳＡ２０Ａ）。給水装置１０の制御部６５は、上記した図８ＢのステップＳＣ２０における管理装置３１０の処理と同様に、制御パラメータの再割り当てを作成するとよい。つまり、具体的には、制御部６５は、外部表示器８０からの異常情報に基づいて、異常が生じた端子を除外して、複数の端子の入出力信号種別の再割り当てを作成するとよい。そして、給水装置１０の制御部６５は、作成した再割り当ての制御パラメータに基づいてユーザー情報を作成し（ステップＳＡ２２Ａ）、作成したユーザー情報を外部表示器８０に送信する（ステップＳＡ２４Ａ）。そして、外部表示器８０は、給水装置１０から受信したユーザー情報を第２の記憶手段に記憶する（ステップＳＢ２８）。
【０１２４】
続いて、外部表示器８０は、第２の記憶手段に記憶したユーザー情報を操作表示部８０Ａに表示し（ステップＳＢ３０）、変更確定入力がなされると（ステップＳＢ３４）、給水装置１０から受信したユーザー情報と変更確定入力を示す信号を管理装置３１０へ送信する（ステップＳＢ３６Ａ）。管理装置３１０は、変更確定入力を記憶部３６６に記憶し（ステップＳＣ４０Ａ）、承認信号を外部表示器８０へと送信する（ステップＳＣ４２Ａ）。そして、外部表示器８０は、受信した承認信号を給水装置１０へ送信し（ステップＳＢ５０Ａ）、承認信号を受信した給水装置１０において制御パラメータが変更される(ス
テップＳＡ６０)。
【０１２５】
このように、制御パラメータの再割り当ては、給水装置１０において作成されてもよい。こうした例においても、図８Ｂを参照して説明した例と同様の効果を奏することができる。ここで、変形例１においては、ステップＳＡ２０Ａの処理を実行する給水装置１０の制御部６５が、「再割り当て作成部」に相当する。
【０１２６】
なお、図１３に示す例では、ユーザーによって変更確定入力がなされたときに（ステップＳＢ３４：Ｙｅｓ）、外部表示器８０から管理装置３１０へと変更確定を示す情報が送
信されるものとした。しかしながら、こうした例に限定されず、変更確定を示す情報に代えて、または加えて、外部表示器８０から管理装置３１０へユーザー情報が送信されてもよいし、外部表示器８０から管理装置３１０へ再割り当ての制御パラメータが送信されてもよい。外部表示器８０から管理装置３１０へ再割り当ての制御パラメータを送信する場合、ステップＳＡ２４Ａにおいてユーザー情報と共に再割り当ての制御パラメータが送信されるものとしてもよいし、ユーザーによって変更確定入力がなされたときに外部表示器８０が給水装置１０から再割り当ての制御パラメータを取得するものとしてもよい。なお、変更確定前に外部表示器８０から管理装置３１０へユーザー情報または再割り当ての制御パラメータが送信される場合、管理装置３１０は、送信されたユーザー情報または再割り当ての制御パラメータに基づいて、承認信号を送信するか否かを判定してもよい。
【０１２７】
（変形例２）
図１４Ａは、上記した本実施形態のシステム１０００における変形例を示す機能ブロック図である。図１４Ｂは、上記した本実施形態のシステム１０００における制御パラメータを再設定する際の動作の変形例を示す図である。図１４Ａ、図１４Ｂでは、図８Ａ、図８Ｂと重複する説明は省略する。
【０１２８】
図８Ａでは管理装置３１０が有する再割り当て作成手段５０１並びにユーザー情報作成手段５０２を、図１４Ａでは外部表示器８０が有する。
【０１２９】
図１４では、外部表示器８０に異常情報が入力されると（ステップＳＢ１０）、外部表示器８０は、当該入力された情報に基づいて、制御パラメータの再割り当てを作成する（ステップＳＢ２０Ｂ）。外部表示器８０は、上記した図８ＢのステップＳＣ２０における管理装置３１０の処理と同様に、制御パラメータの再割り当てを作成するとよい。つまり、具体的には、外部表示器８０は、ユーザーから入力された異常が生じた端子を除外して、複数の端子の入出力信号種別の再割り当てを作成するとよい。そして、外部表示器８０は、作成した再割り当ての制御パラメータに基づいてユーザー情報を作成し（ステップＳＢ２２Ｂ）、作成したユーザー情報を第２の記憶手段に記憶する（ステップＳＢ２８）。続いて、外部表示器８０は、第２の記憶手段に記憶したユーザー情報を操作表示部８０Ａに表示し（ステップＳＢ３０）、変更確定入力がなされると（ステップＳＢ３４）、作成した再割り当ての制御パラメータと変更確定入力とを管理装置３１０へ送信する（ステップＳＢ４０Ｂ）。管理装置３１０は、受信した再割り当ての制御パラメータと変更確定入力とを記憶部３６６に記憶する（ステップＳＣ４０Ｂ）。そして、管理装置３１０から外部表示器８０に承認信号が送信されると（ステップＳＣ４２Ｂ）、図８Ｂに示す動作と同様に、外部表示器８０から給水装置１０へ再割り当ての制御パラメータが送信され（ステップＳＢ５０）、給水装置１０において入出力信号種別が変更される（ステップＳＡ６０）。なお、管理装置３１０は、外部表示器８０から再割り当ての制御パラメータと変更確定入力とを受信したときに、再割り当ての制御パラメータに問題がないか確認して承認信号を送信するとよい。
【０１３０】
このように、制御パラメータの再割り当ては、外部表示器８０において作成されてもよい。こうした例においても、図８Ａ、図８Ｂを参照して説明した例と同様の効果を奏することができる。ここで、変形例２においては、ステップＳＢ２０Ｂの処理を実行する外部表示器８０が「再割り当て作成部」に相当する。
【０１３１】
（変形例３）
上記したシステム１０００では、給水装置１０は、外部表示器８０を通じて管理装置３１０と通信可能に構成されるものとしたが、こうした例に限定されず、例えば給水装置１０はネットワーク３００を介して管理装置３１０と直接通信可能に構成されてもよい。
【０１３２】
図１５Ａは、上記した本実施形態のシステム１０００における変形例を示す機能ブロック図である。図１５Ｂは、こうした変形例のシステム１０００における制御パラメータを再設定する際の動作の一例を示す図である。
【０１３３】
図８Ａでは制御部６５は外部表示器８０（およびネットワーク３００）を介して管理装置３１０と通信していたが、図１５Ａでは制御部６５はネットワーク３００を介して管理装置３１０と直接に通信可能に接続される。なお、図１３Ａおよび図１４Ａの例においても、制御部６５はネットワーク３００を介して管理装置３１０と直接に通信可能に接続されてもよい。
【０１３４】
図１５Ｂに示す例は、概ね図８Ｂに示す例と同一であり、図８Ｂに示す例のステップＳＣ４２，ＳＢ５０に代えてステップＳＣ４２Ｃが実行され、ステップＳＢ７０に代えてステップＳＡ６４Ｃが実行される。つまり、管理装置３１０は、外部表示器８０から変更確定入力を受信して（ステップＳＢ３６）、再割り当ての制御パラメータを送信データに変換すると（ステップＳＣ４０）、再割り当ての制御パラメータを給水装置１０へ直接送信する（ステップＳＣ４２Ｃ）。再割り当ての制御パラメータを受信した給水装置１０は、制御パラメータを変更し（ステップＳＡ６０）、制御パラメータの変更の完了を示す変更完了信号を外部表示器８０に送信する（ステップＳＡ６２）と共に管理装置３１０へ直接送信する（ステップＳＡ６４Ｃ）。このように、再割り当ての制御パラメータが管理装置３１０から給水装置１０へ直接に送信されることにより、外部表示器８０による給水装置１０の意図しない又は不正な設定変更を防止できる。
【０１３５】
（変形例４）
上記したシステム１０００では、制御パラメータに基づくユーザー情報が、外部表示器８０の操作表示部８０Ａに表示されるものとした。しかしながら、ユーザー情報の表示は、操作表示部８０Ａに代えてまたは加えて、制御部６５の表示部７２、管理装置３１０の表示部３８０、外部表示器２８０のうちの少なくともひとつにてなされてもよい。また、第１モードにおける表示および／または変更は、外部表示器８０、制御部６５の表示部７２、管理装置３１０の表示部３８０、外部表示器２８０の全てにて実行可能であって、第２モードにおける表示および／または変更は、外部表示器８０、制御部６５の表示部７２、管理装置３１０の表示部３８０、外部表示器２８０のうちの何れか（たとえば、表示部７２、表示部３８０のみ）で実行可能であってもよい。
【０１３６】
（変形例５）
図１６は、外部表示器８０による図８ＢのステップＳＢ３０（第１の表示ステップ）での表示の変形例を示す図である。なお、図１６では、操作表示部８０Ａが横長となっているが、言うまでもなく操作表示部８０Ａのアスペクト比等は任意である。図１６に示す例では、制御部６５の現在の制御パラメータに基づいたユーザー情報を示す変化前ユーザー情報表示部９１０と、再割り当ての制御パラメータに基づいたユーザー情報を示す変化後ユーザー情報表示部９２０と、が操作表示部８０Ａに併せて示されている。ここで、変化前ユーザー情報表示部９１０は、図９Ｂにおけるユーザー情報の表示と同様であり、変化後ユーザー情報表示部９２０は、図１０Ｂにおけるユーザー情報の表示と同様である。変化前ユーザー情報表示部９１０および変化後ユーザー情報表示部９２０について、図９Ｂおよび図１０Ｂと重複する説明は省略する。
【０１３７】
また、図１６に示す例では、変更前ユーザー情報表示部９１０と変更後ユーザー情報表示部９２０とのそれぞれが、現在（変更前）のユーザー情報と変更後のユーザー情報であることを文字情報で示す文字情報部９３０が操作表示部８０Ａに示されている。このように、変更前ユーザー情報表示部９１０と変更後ユーザー情報表示部９２０とが操作表示部８０Ａに併せて示されることで、ユーザーは、制御パラメータの変更による変化をより容
易に認識することができる。
【０１３８】
図１６に示す例では、図１０Ｂに示す例と同様に、変更確定ボタン８３０および変更キャンセルボタン８３２が操作表示部８０Ａに示されている。また、図１６に示す例では、ユーザーが制御パラメータを変更する際のオプションを選択するための変更オプションボタン８３４が操作表示部８０Ａに示されている。この変更オプションボタン８３４は、ユーザーが、制御パラメータの変更に伴うオプションを追加することができるオプション入力手段の一例に当たる。
【０１３９】
ユーザーによって変更オプションボタン８３４が操作されると、図１６の下方に示すように、オプション情報表示部８４０として、ユーザーが制御パラメータを変更する際のオプションを選択するための情報（オプション情報）が操作表示部８０Ａに表示されるとよい。一例として、オプション情報は、上記したユーザー情報と同様に、再割り当ての制御パラメータに基づいてユーザー情報作成手段５０２にて作成されて外部表示器８０に送信される。一例として、ユーザー情報作成手段５０２は、管理装置３１０の記憶部３６６に予め記憶された制御パラメータとオプション情報とが関連付けられたデータテーブルを参照することで、再割り当ての制御パラメータに対応するオプション情報を作成する。図１６に示す例では、操作者が選択可能な追加オプションとして、制御パラメータの変更と、制御パラメータの変更後の配線接続と、を作業員へ依頼するか否かを選択できる。これにより、操作者は、自身で制御パラメータの変更の確定を判断し、配線接続を行うか、作業員へ依頼するか、を選択することができる。なお、作業員へ依頼する項目として制御パラメータの変更が選択された場合には、変更確定ボタン８３０が選択不可とされるとよい。これにより、制御パラメータの変更が作業員へ依頼されたにもかかわらず、操作者によって制御パラメータの確定入力がなされてしまうことを防止できる。
【０１４０】
図１７は、外部表示器８０における、変更確定ボタン８３０、変更キャンセルボタン８３２または変更オプションボタン８３４の選択フローを示す。この選択フローは、例えば外部表示器８０において図８ＢのステップＳＢ３０が実行されているときに行われる。外部表示器８０は、例えば図１０Ｂに示すような表示をしている（ステップＳ２１０）ときにユーザー選択がなされると（ステップＳ２２０）、当該ユーザー選択に応じて処理を実行する。
【０１４１】
例えば、外部表示器８０は、ユーザーによって変更キャンセルボタン８３２が選択されたときには（ステップＳ２２０：「変更キャンセル」）、再割り当てされた制御パラメータを確定することなく、つまり制御部６５の第１記憶領域６６ａに記憶された制御パラメータを変更することなく、操作表示部８０Ａの表示を所定の初期画面へ戻す処理を実行する（ステップＳ２３０）。これにより、ユーザーが制御パラメータの変更を望まないときなどには、制御パラメータの変更をキャンセルすることができる。
【０１４２】
また、外部表示器８０は、ユーザーによって変更オプションボタン８３４が選択されたときには（ステップＳ２２０：「変更オプション」）、図１６を参照して説明されたように、ユーザーが制御パラメータを変更する際のオプションを選択するための情報（オプション情報）が操作表示部８０Ａに表示されるとよい。そして、操作者によって作業員へ依頼する選択がなされた状態で変更確定ボタン８３０が操作されると、外部表示器８０は、作業員へ作業依頼がなされたことを示す信号を、管理装置３１０に送信する（ステップＳ２４０）とよい。また、管理装置３１０は、ユーザーによるオプションの選択について記憶部３６６に記憶するとよい。なお、図１７では示していないが、オプション情報が操作表示部８０Ａに表示されている際には、オプションの選択をキャンセルすることができるように構成されてもよい。オプションの選択がキャンセルされた場合には、初期画面へ戻って図１７に示すフローを終了するものとしてもよいし、ステップＳ２１０に戻るものと
してもよい。
【０１４３】
さらに、外部表示器８０は、ユーザーによって変更確定ボタン８３０が選択されたときには（ステップＳ２２０：「変更確定処理」）、再割り当てされた制御パラメータを確定する変更確定処理を実行し（ステップＳ２５０）、フローを終了する。変更確定処理は、上記した図８ＢのステップＳＢ３６以下の処理が具体的な一例に当たる。変更確定処理により、制御部６５の第１記憶領域６６ａに記憶された制御パラメータが、再割り当てされた制御パラメータへ更新される。
【０１４４】
このように、図１７に示すフローでは、変更オプションボタン８３４と、変更確定ボタン８３０とが、どちらか一方を選択可能に構成されている。換言すれば、ユーザーが制御パラメータの変更に伴う作業を依頼できるオプション入力と、ユーザーが制御パラメータを変更するか否かを確定することができる確定入力とは、どちらか一方が選択可能に構成される。変更オプションボタン８３４が選択されたときには、変更確定ボタン８３０を選択不可とするとよい。これにより、操作者が誤った操作をすることを防止できる。
【０１４５】
管理装置３１０は、上述したように、給水装置１０毎の設置場所、連絡先、所有者、管理者、制御パラメータの変更履歴、運転履歴、故障履歴および作業履歴などの各種情報を管理すると共に、地域毎に派遣可能な作業員情報（作業員の派遣範囲、作業員の習得レベル、作業可能な製品群等）を保有する。そのため、オプションの設定によって外部表示器８０から作業員へ作業依頼がなされたことを示す信号を受信した管理装置３１０は、依頼された作業内容、給水装置１０の設置場所、および、作業員情報に基づいて作業員を選択し、当該選択された作業員に、再割り当ての制御パラメータ、制御パラメータに基づくユーザー情報、および制御パラメータの変更履歴を添付して作業依頼を行う。これにより、作業員は作業内容を予め把握して現場に向かうことができるため作業時間を短縮できる。
【０１４６】
また、上述したように、管理装置３１０は、端子の異常が入力（特定）された場合、または制御部６５によって入出力信号種別の変更が行われた場合には、次回のメンテナンス時期が早くなると判断する。つまり、管理装置３１０は、制御パラメータの変更に伴って制御部６５のメンテナンス時期の判断を行う。管理装置３１０は、メンテナンス時期が所定の範囲内にある給水装置１０に作業員を派遣する場合、当該判断したメンテナンス時期と現在の使用期間のカウントを作業依頼時に作業者に報知する。これにより、当該報知された作業者はメンテナンスの提案または／および実施することができ、異常を未然に防ぐことができる。
【０１４７】
なお、上述では、信号種別を変更する場合のユーザー情報について説明したが、ユーザー情報作成手段が有するユーザー情報群には、その他、運転や故障に関する他の制御パラメータにおけるユーザー情報も含まれる。ユーザー情報群に含まれるユーザー情報の一例として、ここでは、図３の説明時に記した流入圧低下に関する制御パラメータＡ１０〜Ａ１３に関連付けられるユーザー情報を記す。制御パラメータの設定コードＡ１０〜Ａ１３とその値に対応するユーザー情報は「流入圧が７ｍＡｑ以下で１０秒間が経過したら、流入圧低下状態が発生する。」「流入圧低下発生後に流入圧が１０ｍＡｑ以上となり１５秒間が経過したら、流入圧低下状態が解消される。」といった文字情報でもよいし、横軸が時間で縦軸が流入圧力のグラフ等に設定コードＡ１０〜Ａ１３の値を記してもよい。そして、流入圧低下に関する制御パラメータの変更要求がなされたときに、ユーザー情報作成手段５０２は、当該変更要求によって変更される制御パラメータとその値に基づいたユーザー情報をユーザー情報群から選択し、外部表示器８０が当該選択されたユーザー情報を表示する。
【０１４８】
以上説明した本実施形態は、以下の形態としても記載することができる。
［形態１］形態１によれば、ポンプと、設定変更可能な制御パラメータに基づいてポンプ制御を行う制御部と、表示部と、を備えるシステムの前記制御パラメータを変更する方法が提案され、前記システムは、前記表示部に表示可能なユーザー情報群を有するユーザー情報作成手段を有し、前記方法は、所定の変更要求がなされたときに、前記ユーザー情報作成手段は、当該変更要求によって変更される制御パラメータに対応するユーザー情報を前記ユーザー情報群の中から選択し、前記表示部が当該選択されたユーザー情報を表示する第１の表示ステップ、を含む。形態１によれば、表示部に表示されるユーザー情報を見ながら、制御パラメータの設定変更を容易に行うことができる。
【０１４９】
［形態２］形態２によれば、形態１において、前記第１の表示ステップにて前記ユーザー情報を表示した後に前記制御部の前記制御パラメータを変更する変更ステップを更に含む。
【０１５０】
［形態３］形態３によれば、形態２において、前記システムは、前記第１の表示ステップによって表示されたユーザー情報を基に、ユーザーが前記制御パラメータを変更するか否かを確定することができる確定入力手段を有し、前記方法は、前記確定入力手段による確定入力を受け付ける確定入力受付ステップを含み、前記確定入力受付ステップにて前記制御パラメータの変更が確定されたとき、前記制御部は前記変更ステップを実行する。形態３によれば、形態２によれば、ユーザーは、表示部に表示されるユーザー情報を確認してから、確定入力手段により制御パラメータの設定変更を行うことができる。
【０１５１】
［形態４］形態４によれば、形態３において、前記確定入力手段は前記表示部に設けられる。一例として、確定入力手段は、表示部に仮想的なボタンなどとして表示することができる。
【０１５２】
［形態５］形態５によれば、形態２から４において、前記変更ステップを実行後に、確定されたユーザー情報を、前記表示部に表示する第２の表示ステップを更に含む。形態５によれば、制御パラメータを設定変更したときに、確定されたユーザー情報を確認することができる。
【０１５３】
［形態６］形態６によれば、形態５において、前記ユーザー情報は、アクセス権の設定が可能であって、前記第１の表示ステップで、前記ユーザー情報は、ダウンロードおよび印刷の両方が制限されたアクセス権が設定され、前記第２の表示ステップで、前記ユーザー情報は、ダウンロードおよび／または印刷が許可されたアクセス権が設定される。形態６によれば、制御パラメータの変更がなされる前にはユーザー情報のダウンロードおよび印刷の両方が制限され、制御パラメータの変更が完了した後にユーザー情報のダウンロードおよび／または印刷が許可される。これにより、制御パラメータが変更されていないにもかかわらず、誤って参照されることを抑制できる。
【０１５４】
［形態７］形態７によれば、形態１から６において、前記表示部は、第１の画面と第２の画面とを有し、前記ユーザー情報は、前記第１の画面で表示され、前記第１の画面で表示されるユーザー情報に対応する制御パラメータが、前記第２の画面で表示される。形態７によれば、第１の画面においてユーザー情報を確認することができ、第２の画面においてユーザー情報に対応する制御パラメータを確認することができる。
【０１５５】
［形態８］形態８によれば、形態７において、前記第２の画面における前記制御パラメータの表示は、前記ユーザー情報と異なるアクセス権の認証を経て実行される。形態８によれば、アクセス権に応じて、ユーザー情報に対応する制御パラメータを表示することができる。
【０１５６】
［形態９］形態９によれば、形態１から８において、前記第１の表示ステップは、前記変更される制御パラメータに基づいたユーザー情報と共に、前記制御部の現在の制御パラメータに基づいたユーザー情報を前記表示部に表示する。形態９によれば、現在の制御パラメータに基づくユーザー情報と、変更される制御パラメータに基づくユーザー情報と、を確認して制御パラメータの設定変更を行うことができる。
【０１５７】
［形態１０］形態１０によれば、形態１から９において、前記ユーザー情報を作成する情報作成ステップを更に含み、前記第１の表示ステップは、前記情報作成ステップにて作成されたユーザー情報を前記表示部に表示する。
【０１５８】
［形態１１］形態１１によれば、形態１から１０において、前記制御部は、複数の端子を有する入出力部を備え、前記制御部は、前記複数の端子の各端子に割り当てられた前記制御パラメータに、接続先の外部機器から入力される信号の内容または前記システムの状態に対応して出力すべき信号の内容を示す信号種別が設定され、前記方法は、当該変更要求によって変更される制御パラメータに前記信号種別が含まれるとき、前記ユーザー情報作成部にて作成されるユーザー情報は、前記複数の端子のそれぞれの前記信号種別を示す結線図を含む。形態１１によれば、変更される制御パラメータに基づいた端子の結線図を表示部に表示することができる。
【０１５９】
［形態１２］形態１２によれば、形態１１において、前記方法は、前記システムが前記複数の端子の前記信号種別を再割り当てするための前記制御パラメータを作成する再割り当て作成ステップを含み、前記再割り当て作成ステップの後に作成されるユーザー情報は、前記複数の端子それぞれに前記再割り当てされた信号種別を示す結線図を含む。形態１２によれば、再割り当てされた端子の結線図を表示部に表示することができる。
【０１６０】
［形態１３］形態１３によれば、形態１から１２において、前記システムは、前記複数の端子のうち異常が生じた端子を特定する異常端子特定手段を有し、前記再割り当て作成ステップでは、前記異常端子特定手段で特定された端子を除外して前記再割り当てを作成する。形態１３によれば、異常が生じた端子を除外して、複数の端子の信号種別を再割り当てすることができる。
【０１６１】
［形態１４］形態１４によれば、形態１３において、前記再割り当て作成ステップでは、前記異常端子特定手段で特定された端子に対して、出力なし、または端子の異常を示す信号種別を割り当てる。
【０１６２】
［形態１５］形態１５によれば、形態１３または１４において、前記再割り当て作成ステップでは、前記異常端子特定手段で特定された端子以外の端子について、少なくとも一部の端子に対して、再割り当て前と同一の信号種別を割り当てる。形態１５によれば、異常が生じた端子以外の端子について、配線変更の手間を軽減することができる。
【０１６３】
［形態１６］形態１６によれば、形態１から１５において、前記第１の表示ステップで、前記異常端子特定手段で特定された端子は、他の端子と異なる表示方法にて表示される。形態１６によれば、異常が生じた端子を容易に認識することができる。
【０１６４】
［形態１７］形態１７によれば、形態２に記載の特徴を含む方法において、前記制御部が、前記変更ステップで変更した前記制御パラメータを外部に送信する送信ステップと、管理装置が、前記制御部によって送信された変更後の前記制御パラメータに関する情報を記憶する記憶ステップと、を更に含む。形態１７によれば、管理装置において、変更後の制御パラメータに関する情報を管理することができる。
【０１６５】
［形態１８］形態１８によれば、形態１から１７において、前記方法は、前記制御部のメンテナンスに関する情報を報知するメンテナンス報知ステップを含み、前記メンテナンス報知ステップでは、前記変更ステップによる前記制御パラメータの変更がなされた場合には次回のメンテナンス時期が早くなるように前記情報を報知する。形態１８によれば、制御パラメータの変更に応じてメンテナンス時期を報知することができる。
【０１６６】
［形態１９］形態１９によれば、形態１から１８において、前記表示部は、前記制御パラメータに基づいたユーザー情報を記憶する記憶部を有する。形態１９によれば、表示部において、ユーザー情報を記憶することができる。
【０１６７】
［形態２０］形態２０によれば、形態１から１９において、前記システムは、前記ポンプと前記制御部とを有するポンプ装置と、当該ポンプ装置を管理するための管理装置と、を備え、前記管理装置は、前記制御パラメータに基づいたユーザー情報を記憶する記憶部を有する。形態２０によれば、管理装置において、ユーザー情報を記憶することができる。
【０１６８】
［形態２１］形態２１によれば、形態１から１９において、前記制御部は、前記制御パラメータに基づいたユーザー情報を記憶する記憶部を有する。形態２１によれば、制御部において、ユーザー情報を記憶することができる。
【０１６９】
［形態２２］形態２２によれば、ポンプと、設定変更可能な制御パラメータに基づいてポンプ制御を行う制御部と、表示部と、管理装置と、を備えるシステムの前記制御パラメータを管理する管理方法が提案され、前記管理方法は、所定の変更要求がなされたときに、当該変更要求によって変更される制御パラメータに基づいたユーザー情報を前記表示部に表示する第１の表示ステップを含み、前記システムは、前記第１の表示ステップによって示されたユーザー情報を基に、ユーザーが前記制御パラメータを変更するか否かを確定することができる確定入力手段と、前記ユーザーが前記制御パラメータの変更に伴う作業を依頼できるオプション入力手段と、を有し、前記確定入力手段と前記オプション入力手段とは、前記第１の表示ステップにてどちらか一方を選択可能に構成される。形態２２によれば、操作者が誤った操作をすることを防止することができ、制御パラメータの設定変更を容易に行うことができる。
【０１７０】
［形態２３］形態２３によれば、形態２２において、前記作業には、少なくとも前記制御パラメータの変更が含まれ、前記管理方法は、前記作業として前記制御パラメータの変更が選択された場合には、前記確定入力手段を選択不可とする。形態２３によれば、制御パラメータの変更を依頼したにもかかわらず、ユーザーによって制御パラメータが変更されることを防止できる。
【０１７１】
［形態２４］形態２４によれば、形態２２または２３において、前記管理方法は、前記確定入力手段が選択されたら、確定入力を受け付ける確定入力受付ステップを実行し、オプション入力手段が選択されたら、前記作業を前記管理装置に送信するステップを実行する。形態２４によれば、確定入力手段またはオプション入力手段の選択に応じてステップを実行することができる。
【０１７２】
［形態２５］形態２５によれば、形態２２から２４において、前記管理方法は、前記管理装置が、前記オプション入力手段が選択されることにより送信された前記作業と、作業員情報と、に基づいて作業員を選択し、当該選択した作業員に、前記変更要求によって変更される制御パラメータと、当該制御パラメータに基づくユーザー情報と、前記制御パラメータの変更履歴と、のうち少なくとも１つの情報を含む作業依頼を行う。形態２５によれば、オプション入力手段の選択による作業と、作業員情報と、に基づいて選択された作業員に対して、作業依頼を行うことができる。
【０１７３】
［形態２６］形態２６によれば、ポンプと、設定変更可能な制御パラメータに基づいてポンプ制御を行う制御部と、表示部と、を備えるシステムの表示方法が提案され、前記システムは、前記制御パラメータの設定コードおよび設定値に関連付けられたユーザー情報群の中から所定のユーザー情報を選択するユーザー情報作成手段を有し、前記表示部は、前記制御パラメータを異なる表示で開示する複数の表示モードを有し、前記複数の表示モードは、前記制御パラメータに基づいて前記ユーザー情報作成手段が選択するユーザー情報を開示する第１モードと、前記制御パラメータの前記設定コードおよび前記設定値を開示する第２モードと、を含む。形態２６によれば、表示部に所望の表示を行うことができる。
【０１７４】
［形態２７］形態２７によれば、形態２６において、前記表示モードは、ユーザーによる所定の制限解除操作がなされたときに、前記第１モードから前記第２モードへと移り、ユーザーによる所定の操作がなされたとき、および／またはユーザーによる無操作状態が所定時間継続したときに、前記第２モードから前記第１モードへと移る。形態２７によれば、ユーザーによる操作がないときには第１モードとすることができ、例えばシステムに不慣れな者に対して制御パラメータの設定コードおよび設定値が開示されることを抑制できる。
【０１７５】
［形態２８］形態２８によれば、形態２６または２７において、前記表示方法は、前記制御パラメータの変更履歴を表示部に表示するステップを含み、前記第１モードでは、前記変更履歴に対応したユーザー情報を表示し、前記第２モードでは、前記変更履歴の前記設定コードおよび前記設定値を表示する。形態２８によれば、第１モードまたは第２モードにおいて制御パラメータの変更履歴を確認することができる。
【０１７６】
［形態２９］形態２９によれば、形態２６から２８において、前記制御部は、複数の端子を有する入出力部を備え、前記制御部は、前記複数の端子の各端子に割り当てられた前記制御パラメータに、接続先の外部機器から入力される信号の内容または前記システムの状態に対応して出力すべき信号の内容を示す信号種別が設定され、前記制御パラメータに前記信号種別が含まれるとき、前記ユーザー情報は、前記複数の端子の配置の順番と前記信号種別とが示された結線図を含む。形態２９によれば、結線図を表示部に表示することができる。
【０１７７】
［形態３０］形態３０によれば、ポンプと、設定変更可能な制御パラメータに基づいてポンプ制御を行う制御部と、を備えるポンプ装置を管理するための管理装置が提案され、前記管理装置は、前記ポンプ装置における現在の制御パラメータと当該制御パラメータに基づくユーザー情報とが記憶される第１の記憶手段と、所定の変更要求がなされたときに、当該変更要求によって変更される制御パラメータと当該制御パラメータに基づくユーザー情報とが記憶される第２の記憶手段と、前記第２の記憶手段に記憶されたユーザー情報を表示部に送信可能な通信部と、を備える。形態３０によれば、変更される制御パラメータに基づくユーザー情報を表示部に表示することができる。これにより、制御パラメータの設定変更を容易に行うことができる。
【０１７８】
［形態３２］形態３１によれば、形態３０において、前記通信部は、前記表示器が前記管理装置の前記第２の記憶手段に記憶されたユーザー情報を表示した後に、前記制御部の前記制御パラメータを前記第２の記憶手段に記憶された前記制御パラメータに変更するよう指示を出力する。形態３１によれば、表示部における表示を確認した後に、制御パラメータの設定変更を行うことができる。
【０１７９】
［形態３２］形態３２によれば、形態３１において、前記通信部は、前記表示部に表示さ
れるユーザー情報を基にユーザーが前記制御パラメータを変更することを確定した確定入力を受け付けられるように構成され、前記確定入力が受け付けられたとき、前記制御部の前記制御パラメータを前記第２の記憶手段に記憶された前記制御パラメータに変更するよう指示を出力する。
【０１８０】
［形態３３］形態３３によれば、ポンプと、設定変更可能な制御パラメータに基づいてポンプ制御を行う制御部と、表示部と、記憶部と、を備えるシステムが提案され、前記システムは、前記記憶部は、所定の変更要求がなされたときに、変更される制御パラメータと、当該制御パラメータに基づくユーザー情報と、を記憶し、前記表示部は、前記変更される制御パラメータに基づいたユーザー情報を表示する。形態３３によれば、表示部に表示されるユーザー情報を見ながら、制御パラメータの設定変更を容易に行うことができる。
【０１８１】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、特許請求の範囲および明細書に記載された各構成要素の任意の組み合わせ、または、省略が可能である。
【符号の説明】
【０１８２】
３０Ａ，３０Ｂ…ポンプ
６５…制御部
６６…制御用メモリ
６９…演算部
７０…Ｉ／Ｏ部
７０ａ…外部出力端子
７０ｂ…入力端子
７１…設定部
７２…表示部
７３…通信部
７９…運転パネル
８０…外部表示器
８０Ａ…操作表示部
１０Ａ…吸込口
１６０…受水槽
１６２…電極式レベルスイッチ
１８０…外部表示器
２１０…監視装置
３００…ネットワーク
３１０…管理装置
３６６…記憶部
３６９…演算部
３７３…通信部
８０２…端子グラフィック部
８０４…端子種別文字情報部
８０６…結線図グラフィック部
８０８…信号種別文字情報部
８０９…端子異常入力ボタン
８２２…異常表示部
８２４，８２６…強調表示部
８３０…変更確定ボタン
８３２…変更キャンセルボタン
１０００…システム
１００２…異常端子特定部
１００４…再割り当て作成部
Ａ１，Ａ２，Ｂ１，Ｂ２，Ｂ３，Ｃ１，Ｃ２…外部表示用端子
【要約】
【課題】制御パラメータの設定変更を容易に行うことができる方法等を提案する。
【解決手段】ポンプと、設定変更可能な制御パラメータに基づいてポンプ制御を行う制御部と、表示部と、を備えるシステムの前記制御パラメータを変更する方法が提案され、前記システムは、前記表示部に表示可能なユーザー情報群を有するユーザー情報作成手段を有し、前記方法は、所定の変更要求がなされたときに、前記ユーザー情報作成手段は、当該変更要求によって変更される制御パラメータに対応するユーザー情報を前記ユーザー情報群の中から選択し、前記表示部が当該選択されたユーザー情報を表示する第１の表示ステップ、を含む。
【選択図】図８Ｂ【図１】
0006855627.tif 000002
【図２】
0006855627.tif 000003
【図３】
0006855627.tif 000004
【図４】
0006855627.tif 000005
【図５Ａ】
0006855627.tif 000006
【図５Ｂ】
0006855627.tif 000007
【図６】
0006855627.tif 000008
【図７Ａ】
0006855627.tif 000009
【図７Ｂ】
0006855627.tif 000010
【図７Ｃ】
0006855627.tif 000011
【図７Ｄ】
0006855627.tif 000012
【図８Ａ】
0006855627.tif 000013
【図８Ｂ】
0006855627.tif 000014
【図９Ａ】
0006855627.tif 000015
【図９Ｂ】
0006855627.tif 000016
【図９Ｃ】
0006855627.tif 000017
【図１０Ａ】
0006855627.tif 000018
【図１０Ｂ】
0006855627.tif 000019
【図１１】
0006855627.tif 000020
【図１２】
0006855627.tif 000021
【図１３Ａ】
0006855627.tif 000022
【図１３Ｂ】
0006855627.tif 000023
【図１４Ａ】
0006855627.tif 000024
【図１４Ｂ】
0006855627.tif 000025
【図１５Ａ】
0006855627.tif 000026
【図１５Ｂ】
0006855627.tif 000027
【図１６】
0006855627.tif 000028
【図１７】
0006855627.tif 000029